(57)【要約】シグナリングデータ更新情報をイベント通知メッセージに格納して受信装置に送信し、受信装置における確実なシグナリングデータ更新処理を実行可能とした構成を実現する。送信装置が受信装置に、シグナリングデータ更新情報をイベント通知メッセージに格納して送信する。受信装置は、イベント通知に格納されたイベントデータがシグナリングデータ更新情報である場合、シグナリングデータ処理部に出力する。シグナリングデータ処理部は、シグナリングデータ更新情報に基づくシグナリングデータ更新処理を実行する。イベント通知データは、ＡＶコンテンツの送信用データであるセグメント内に格納され、受信装置はセグメントからシグナリングデータ更新情報を取得してシグナリングデータ更新処理を行うことができる。
2016174960.tif 000002
【特許請求の範囲】
【請求項１】
シグナリングデータ更新情報をイベントデータとして格納したイベント通知データを受信する通信部と、
イベント通知メッセージにイベントデータとして格納されたシグナリングデータ更新情報に基づくシグナリングデータ更新処理を実行するシグナリングデータ処理部を有する受信装置。
【請求項２】
前記シグナリングデータ処理部は、
前記シグナリングデータ更新処理によって更新されたシグナリングデータに記録されたシグナリング情報に従ったデータ処理を実行する請求項１に記載の受信装置。
【請求項３】
前記イベント通知データは、
ＡＶコンテンツの送信用データであるセグメントを利用したイベント通知方式であるセグメント適用イベント通知方式（＝Ｉｎ−ｂａｎｄ  Ｅｖｅｎｔ  Ｓｉｇｎａｌｉｎｇ）に従ったデータフォーマットを持つイベント通知データである請求項１に記載の受信装置。
【請求項４】
前記イベント通知データは、
イベントデータがシグナリングデータ更新情報であることを示すイベント識別子を記録したデータである請求項１に記載の受信装置。
【請求項５】
前記イベント通知データは、
イベントデータとして格納されたシグナリングデータ更新情報に従って処理を実行するための制御時間情報を記録したデータである請求項１に記載の受信装置。
【請求項６】
前記シグナリングデータ更新情報は、
更新後のシグナリングデータ本体、または更新後のシグナリングデータ識別子を記録したデータである請求項１に記載の受信装置。
【請求項７】
前記シグナリングデータ更新情報は、
更新後のシグナリングデータのバージョン情報を記録したデータである請求項１に記載の受信装置。
【請求項８】
前記受信装置は、さらに、
前記通信部の受信したイベント通知データから、シグナリングデータ更新情報を取得して前記シグナリングデータ処理部に出力するデータ処理部を有する請求項１に記載の受信装置。
【請求項９】
シグナリングデータを受信する通信部と、
前記シグナリングデータ更新情報をイベントデータとして格納したイベント通知データを生成するミドルウェアと、
前記イベント通知データからシグナリングデータ更新情報を取得して、シグナリングデータ処理部に出力するデータ処理部と、
前記シグナリングデータ更新情報に基づくシグナリングデータ更新処理を実行するシグナリングデータ処理部を有する受信装置。
【請求項１０】
前記ミドルウェアは、
ＡＶコンテンツの送信用データであるセグメントを利用したイベント通知方式であるセグメント適用イベント通知方式（＝Ｉｎ−ｂａｎｄ  Ｅｖｅｎｔ  Ｓｉｇｎａｌｉｎｇ）に従ったデータフォーマットを持つイベント通知データを生成する請求項９に記載の受信装置。
【請求項１１】
シグナリングデータ更新情報をイベントデータとして格納したイベント通知データを送信する通信部を有する送信装置。
【請求項１２】
前記イベント通知データは、
ＡＶコンテンツの送信用データであるセグメントを利用したイベント通知方式であるセグメント適用イベント通知方式（＝Ｉｎ−ｂａｎｄ  Ｅｖｅｎｔ  Ｓｉｇｎａｌｉｎｇ）に従ったデータフォーマットを持つイベント通知データである請求項１１に記載の送信装置。
【請求項１３】
受信装置において実行するデータ処理方法であり、
通信部が、シグナリングデータ更新情報をイベントデータとして格納したイベント通知データを受信し、
シグナリングデータ処理部が、イベント通知メッセージにイベントデータとして格納されたシグナリングデータ更新情報に基づくシグナリングデータ更新処理を実行するデータ処理方法。
【請求項１４】
受信装置において実行するデータ処理方法であり、
通信部が、シグナリングデータを受信し、
ミドルウェアが、シグナリングデータ更新情報をイベントデータとして格納したイベント通知データを生成し、
データ処理部が、前記イベント通知データからシグナリングデータ更新情報を取得して、シグナリングデータ処理部に出力し、
シグナリングデータ処理部が、前記シグナリングデータ更新情報に基づくシグナリングデータ更新処理を実行するデータ処理方法。
【請求項１５】
送信装置において実行するデータ処理方法であり、
通信部が、シグナリングデータ更新情報をイベントデータとして格納したイベント通知データを送信するデータ処理方法。
【発明の詳細な説明】
【技術分野】
【０００１】
本開示は、受信装置、送信装置、およびデータ処理方法に関する。さらに詳細には例えば放送波やネットワークを介したデータの受信または送信を実行する受信装置、送信装置、および通信データ対応のデータ処理方法に関する。
【背景技術】
【０００２】
画像データや音声データ等のコンテンツを各通信事業者のサービス形態に関わらず配信可能としたデータ配信方式としてＯＴＴ（Ｏｖｅｒ  Ｔｈｅ  Ｔｏｐ）がある。ＯＴＴによる配信コンテンツはＯＴＴコンテンツと呼ばれ、また、ＯＴＴを利用した画像（ビデオ）データの配信サービスはＯＴＴビデオやＯＴＴ−Ｖ（Ｏｖｅｒ  Ｔｈｅ  Ｔｏｐ  Ｖｉｄｅｏ）と呼ばれる。【０００３】
ＯＴＴ−Ｖに従ったデータストリーミング配信規格としてＤＡＳＨ（Ｄｙｎａｍｉｃ  Ａｄａｐｔｉｖｅ  Ｓｔｒｅａｍｉｎｇ  ｏｖｅｒＨＴＴＰ）規格がある。ＤＡＳＨは、ＨＴＴＰ（ＨｙｐｅｒＴｅｘｔ  Ｔｒａｎｓｆｅｒ  Ｐｒｏｔｏｃｏｌ）をベースとしたストリーミングプロトコルを用いたアダプティブ（適応型）ストリーミング配信に関する規格である。【０００４】
アダプティブ（適応型）ストリーミングでは、放送局等のコンテンツ配信サーバは、データ配信先となる様々なクライアントにおいてコンテンツ再生を可能とするため、複数のビットレートの動画コンテンツの細分化ファイルとこれらの属性情報やＵＲＬを記述したマニフェスト・ファイルを作成し、クライアントに提供する。【０００５】
クライアントは、マニフェスト・ファイルをサーバから取得して、自装置の表示部のサイズや利用可能な通信帯域に応じた最適なビットレートコンテンツを選択し、選択コンテンツを受信して再生する。ネットワーク帯域の変動に応じてビットレートの動的な変更も可能であり、クライアント側では、状況に応じた最適なコンテンツを随時切り替えて受信することが可能となり、映像途切れの発生を低減した動画コンテンツ再生が実現される。なお、アダプティブ（適応型）ストリーミングについては、例えば特許文献１（特開２０１１−８７１０３号公報）に記載がある。【０００６】
放送局やその他のコンテンツサーバ等の送信装置から、テレビ、ＰＣ、携帯端末等の受信装置に対して、放送波等による一方向通信、あるいは、インターネット等のネットワークを介した双方向通信、一方向通信を用いて放送番組等のコンテンツを送受信するシステムについての開発や規格化が、現在、盛んに進められている。
なお、放送波およびネットワークを介したデータ配信を実現するための技術を開示した従来技術として、例えば特許文献２（特開２０１４−０５７２２７号公報）がある。【０００７】
放送波およびネットワークを介したデータ配信システムに関する規格として、現在、ＡＴＳＣ（Ａｄｖａｎｃｅｄ  Ｔｅｌｅｖｉｓｉｏｎ  Ｓｙｓｔｅｍ  Ｃｏｍｍｉｔｔｅｅ）３．０の規格化が進行中である。
ＡＴＳＣ３．０では、ＡＴＳＣ３．０準拠物理層（ＡＴＳＣ−ＰＨＹ）を実装した放送配信用デバイス（チューナ実装デバイス）上に、ＡＴＳＣ３．０放送の受信処理等を実行するミドルウェアを実装させることで、ＡＴＳＣ放送用の制御情報等を含むシグナリングデータを受信して、シグナリングデータによる様々な制御を可能とする構成を検討している。【０００８】
具体的には、シグナリングデータによる制御によって、インターネット等で利用されているアプリケーションプログラム、いわゆるクライアントアプリケーションをそのまま利用して、放送コンテンツの出力処理や、放送波等によって提供される様々なアプリケーションを利用したデータ処理を実現可能とする構成を検討している。【０００９】
例えば、家庭内やホットスポットに設置された放送サービスを受信するサーバ（専用サーバの他、ＰＣ、ＴＶ、タブレット、スマホ等）にＡＴＳＣ３．０準拠物理層（ＡＴＳＣ−ＰＨＹ）、ならびに、ＡＴＳＣ３．０放送受信ミドルウェアを実装する。
これらのサーバが、いったんＡＴＳＣ３．０放送サービスを受信した後、ネットワーク（ホームネットワークやホットスポット等のＬＡＮ／ＷｉＦｉ等）を介して、ユーザ装置（ＰＣ、ＴＶ、タブレット、スマホ等）に放送受信データを転送する。【００１０】
サーバを介して転送された放送受信データを入力したユーザ装置は、ユーザ装置の再生制御部上で稼働するアプリケーション（例えばＡＴＳＣ３．０  ＤＡＳＨクライアントアプリケーション）を利用して、放送コンテンツの再生や、放送で配信される様々なアプリケーションを実行することが可能となる。【００１１】
この形態では、ＡＴＳＣ３．０放送サービスの制御情報を含むシグナリングデータの解析等を実行するミドルウェアが、シグナリングデータの受信タイミングにおいて即時解析処理を行なう終端デバイスとなる。この結果、後段の再生制御部やシグナリングデータ処理部は、放送波等によって送信されるシグナリングデータの内容を即時に把握することが困難となり、シグナリングデータに基づく処理が遅延してしまう可能性がある。【００１２】
シグナリングデータには、例えば番組スケジュールの変更や、送信データのコーデック変更等に応じて、これらの変更情報を通知するシグナリングデータ更新情報が含まれる。
このような更新情報は、後段のシグナリングデータ処理部に遅延なく通知する必要があり、通知が遅延すると。シグナリングデータ処理部や再生制御部において正しい処理が行なえなくなる場合がある。
【先行技術文献】
【特許文献】
【００１３】
【特許文献１】特開２０１１−８７１０３号公報
【特許文献２】特開２０１４−０５７２２７号公報
【発明の概要】
【発明が解決しようとする課題】
【００１４】
本開示は、例えば上記問題点に鑑みてなされたものであり、ＡＴＳＣ３．０放送受信ミドルウェアが受信したシグナリングデータにシグナリングデータ更新情報等が含まれている場合、これを確実にシグナリングデータ処理部に出力する構成を実現する受信装置、送信装置、およびデータ処理方法を提供することを目的とする。
【課題を解決するための手段】
【００１５】
本開示の第１の側面は、
シグナリングデータ更新情報をイベントデータとして格納したイベント通知データを受信する通信部と、
イベント通知メッセージにイベントデータとして格納されたシグナリングデータ更新情報に基づくシグナリングデータ更新処理を実行するシグナリングデータ処理部を有する受信装置にある。【００１６】
さらに、本開示の第２の側面は、
シグナリングデータを受信する通信部と、
前記シグナリングデータ更新情報をイベントデータとして格納したイベント通知データを生成するミドルウェアと、
前記イベント通知データからシグナリングデータ更新情報を取得して、シグナリングデータ処理部に出力するデータ処理部と、
前記シグナリングデータ更新情報に基づくシグナリングデータ更新処理を実行するシグナリングデータ処理部を有する受信装置にある。【００１７】
さらに、本開示の第３の側面は、
シグナリングデータ更新情報をイベントデータとして格納したイベント通知データを送信する通信部を有する送信装置にある。【００１８】
さらに、本開示の第４の側面は、
受信装置において実行するデータ処理方法であり、
通信部が、シグナリングデータ更新情報をイベントデータとして格納したイベント通知データを受信し、
シグナリングデータ処理部が、イベント通知メッセージにイベントデータとして格納されたシグナリングデータ更新情報に基づくシグナリングデータ更新処理を実行するデータ処理方法にある。【００１９】
さらに、本開示の第５の側面は、
受信装置において実行するデータ処理方法であり、
通信部が、シグナリングデータを受信し、
ミドルウェアが、シグナリングデータ更新情報をイベントデータとして格納したイベント通知データを生成し、
データ処理部が、前記イベント通知データからシグナリングデータ更新情報を取得して、シグナリングデータ処理部に出力し、
シグナリングデータ処理部が、前記シグナリングデータ更新情報に基づくシグナリングデータ更新処理を実行するデータ処理方法にある。【００２０】
さらに、本開示の第６の側面は、
送信装置において実行するデータ処理方法であり、
通信部が、シグナリングデータ更新情報をイベントデータとして格納したイベント通知データを送信するデータ処理方法にある。【００２１】
本開示のさらに他の目的、特徴や利点は、後述する本開示の実施例や添付する図面に基づくより詳細な説明によって明らかになるであろう。なお、本明細書においてシステムとは、複数の装置の論理的集合構成であり、各構成の装置が同一筐体内にあるものには限らない。
【発明の効果】
【００２２】
本開示の一実施例の構成によれば、シグナリングデータ更新情報をイベント通知メッセージに格納して受信装置に送信し、受信装置における確実なシグナリングデータ更新処理を実行可能とした構成が実現される。
具体的には、送信装置が受信装置に、シグナリングデータ更新情報をイベント通知メッセージに格納して送信する。受信装置は、イベント通知に格納されたイベントデータがシグナリングデータ更新情報である場合、シグナリングデータ処理部に出力する。シグナリングデータ処理部は、シグナリングデータ更新情報に基づくシグナリングデータ更新処理を実行する。イベント通知データは、ＡＶコンテンツの送信用データであるセグメント内に格納され、受信装置はセグメントからシグナリングデータ更新情報を取得してシグナリングデータ更新処理を行うことができる。
本構成により、シグナリングデータ更新情報をイベント通知メッセージに格納して受信装置に送信し、受信装置における確実なシグナリングデータ更新処理を実行可能とした構成が実現される。
なお、本明細書に記載された効果はあくまで例示であって限定されるものではなく、また付加的な効果があってもよい。
【図面の簡単な説明】
【００２３】
【図１】本開示の処理を実行する通信システムの一構成例について説明する図である。
【図２】送信装置の送信データについて説明する図である。
【図３】送信装置および受信装置のプロトコルスタックの例を示す図である。
【図４】ＲＯＵＴＥ／ＦＬＵＴＥプロトコルスタックについて説明する図である。
【図５】受信装置の構成例について説明する図である。
【図６】受信装置の構成例について説明する図である。
【図７】ＭＰＤの構成例について説明する図である。
【図８】ＭＰＤの構成例について説明する図である。
【図９】イベント通知ＭＰＤの構成例について説明する図である。
【図１０】ＭＰＤの利用シーケンス例について説明する図である。
【図１１】イベント情報の生成、送信、利用シーケンスについて説明する図である。
【図１２】イベント情報を格納するセグメントの構成について説明する図である。
【図１３】イベント情報を格納したセグメント内のデータ構成例について説明する図である。
【図１４】イベント情報の生成、送信、利用シーケンスについて説明する図である。
【図１５】シグナリングデータ更新情報の構成例について説明する図である。
【図１６】シグナリングデータ更新情報を格納したセグメント（ＭＰ４規定のｅｍｓｇボックス）の例について説明する図である。
【図１７】セグメントに格納されるシグナリングデータ更新情報の例について説明する図である。
【図１８】シグナリングデータ更新情報の生成、送信、利用シーケンスについて説明する図である。
【図１９】シグナリングデータ更新情報の生成、送信、利用シーケンスについて説明する図である。
【図２０】通信装置である送信装置と受信装置の構成例について説明する図である。
【図２１】通信装置である送信装置と受信装置のハードウェア構成例について説明する図である。
【発明を実施するための形態】
【００２４】
以下、図面を参照しながら本開示の受信装置、送信装置、およびデータ処理方法の詳細について説明する。なお、説明は以下の項目に従って行なう。
１．通信システムの構成例について
２．データ通信プロトコルＦＬＵＴＥ、およびＲＯＵＴＥについて
３．送信装置と受信装置の実行する通信処理例について
４．受信装置の構成例と処理例について
５．シグナリングデータ更新情報の転送処理について
６．イベント通知構成について
６−１．ＭＰＤ適用イベント通知方式（＝ＭＰＤ  Ｅｖｅｎｔ）について
６−２．セグメント適用イベント通知方式（＝Ｉｎ−ｂａｎｄ  Ｅｖｅｎｔ  Ｓｉｇｎａｌｉｎｇ）について
７．シグナリングデータ更新情報の通知処理について
７−１．イベント通知機構を利用したシグナリングデータ更新情報通知構成の概要
７−２．セグメント適用イベント通知方式（＝Ｉｎ−ｂａｎｄ  Ｅｖｅｎｔ  Ｓｉｇｎａｌｉｎｇ）を適用したシグナリングデータ更新情報の通知構成
８．セグメント適用イベント通知方式（＝Ｉｎ−ｂａｎｄ  Ｅｖｅｎｔ  Ｓｉｇｎａｌｉｎｇ）を適用したシグナリングデータ更新情報の送信および利用シーケンスについて
９．チューナ非実装受信装置を利用した場合の処理例について
９−１．セグメント適用イベント通知方式（＝Ｉｎ−ｂａｎｄ  Ｅｖｅｎｔ  Ｓｉｇｎａｌｉｎｇ）を適用したシグナリングデータ更新情報の送信および利用シーケンスについて
１０．送信装置と受信装置の構成例について
１１．本開示の構成のまとめ
【００２５】
［１．通信システムの構成例について］
まず、図１を参照して本開示の処理を実行する通信システムの一構成例について説明する。
図１に示すように、通信システム１０は、画像データや音声データ等のコンテンツを送信する通信装置である送信装置２０と、送信装置２０の送信するコンテンツを放送波やネットワークを介して受信する通信装置であるチューナ実装受信装置３０と、送信装置２０の送信するコンテンツをチューナ実装受信装置３０、ネットワークを介して受信するチューナ非実装受信装置４０を有する。
【００２６】
送信装置２０は、具体的には、例えば放送局２１やコンテンツサーバ２２等、コンテンツを提供する装置である。
チューナ実装受信装置３０は、放送波を受信するためのチューナを備えた受信装置である。例えば一般ユーザのクライアント装置やホームサーバ、公共施設に設置された中継サーバ等である。具体的には、例えば、中継サーバ（ホームサーバ等を含む）３１、テレビ３２、ＰＣ３３、携帯端末３４等である。
また、チューナ非実装受信装置４０は、放送波を受信するためのチューナを備えていない受信装置である。具体的には、例えば、ＰＣ４１、携帯端末４２等である。
【００２７】
送信装置２０とチューナ実装受信装置３０間のデータ通信は、インターネット等のネットワークを介した双方向通信、一方向通信、あるいは、放送波等による一方向通信の少なくともいずれか、あるいは両者を利用した通信として行われる。
【００２８】
送信装置２０からチューナ実装受信装置３０に対するコンテンツ送信は、例えばアダプティブ（適応型）ストリーミング技術の規格であるＤＡＳＨ（ＭＰＥＧ−ＤＡＳＨ）規格に従って実行する。
なお、ＤＡＳＨ（Ｄｙｎａｍｉｃ  Ａｄａｐｔｉｖｅ  Ｓｔｒｅａｍｉｎｇ  ｏｖｅｒＨＴＴＰ）規格は、前述したようにＨＴＴＰ（ＨｙｐｅｒＴｅｘｔ  Ｔｒａｎｓｆｅｒ  Ｐｒｏｔｏｃｏｌ）をベースとしたストリーミングプロトコルを用いたアダプティブ（適応型）ストリーミング配信に関する規格である。
【００２９】
ＭＰＥＧ−ＤＡＳＨ規格には、以下の２つの規格が含まれる。
（ａ）動画や音声ファイルの管理情報であるメタデータを記述するためのマニフェスト・ファイル（ＭＰＤ：Ｍｅｄｉａ  Ｐｒｅｓｅｎｔａｔｉｏｎ  Ｄｅｓｃｒｉｐｔｉｏｎ）に関する規格、
（ｂ）動画コンテンツ伝送用のファイル・フォーマット（セグメント・フォーマット）に関する規格、
送信装置２０から、チューナ実装受信装置３０に対するコンテンツ配信は、上記のＭＰＥＧ−ＤＡＳＨ規格に従って実行される。
【００３０】
チューナ実装受信装置３０が受信したコンテンツは、ネットワーク（家庭内ならホームネットワーク（ＬＡＮ／ＷｉＦｉ等）、ホットスポットならＷｉＦｉ等）を介して、チューナ非実装受信装置４０に転送される。
チューナ実装受信装置３０や、チューナ非実装受信装置４０は、送信装置２０の送信したコンテンツの再生を行なうことができる。
【００３１】
送信装置２０は、コンテンツデータを符号化し、符号化データおよび符号化データのメタデータを含むデータファイルを生成する。符号化処理は、例えばＭＰＥＧにおいて規定されるＭＰ４ファイルフォーマットに従って行われる。なお、送信装置２０がＭＰ４形式のデータファイルを生成する場合の符号化データのファイルは「ｍｄａｔ」、メタデータは「ｍｏｏｖ」や「ｍｏｏｆ」等と呼ばれる。
【００３２】
送信装置２０がチューナ実装受信装置３０に提供するコンテンツは、例えば音楽データや、映画、テレビ番組、ビデオ、写真、文書、絵画および図表などの映像データや、ゲームおよびソフトウェアなど、様々なデータである。
【００３３】
送信装置２０の送信データについて図２を参照して説明する。
ＭＰＥＧ−ＤＡＳＨ規格に従ってデータ送信を実行する送信装置２０は、図２に示すように、大きく分けて以下の複数種類のデータの送信を行う。
（ａ）シグナリングデータ５０
（ｂ）ＡＶセグメント６０
（ｃ）その他のデータ（ＥＳＧ，ＮＲＴコンテンツ等）７０
【００３４】
ＡＶセグメント６０は、受信装置において再生する画像（Ｖｉｄｅｏ）や、音声（Ａｕｄｉｏ）データ、すなわち例えば放送局の提供する番組コンテンツ等によって構成される。例えば、上述したＭＰ４符号化データ（ｍｄａｔ）や、メタデータ（ｍｏｏｖ，ｍｏｏｆ）によって構成される。なお、ＡＶセグメントは、ＤＡＳＨセグメントとも呼ばれる。
【００３５】
一方、シグナリングデータ５０は、番組表等の番組予定情報や、番組取得に必要となるアドレス情報（ＵＲＬ（Ｕｎｉｆｏｒｍ  Ｒｅｓｏｕｒｃｅ  Ｌｏｃａｔｏｒ）等）、さらにコンテンツの再生処理に必要な情報、例えばコーデック情報（符号化方式など）などからなる案内情報、アプリケーション制御情報等の様々な制御情報によって構成される。
チューナ実装受信装置３０は、このシグナリングデータ５０を、再生対象となる番組コンテンツを格納したＡＶセグメント６０の受信に先行して受信することが必要となる。
このシグナリングデータ５０は、例えばＸＭＬ（Ｅｘｔｅｎｓｉｂｌｅ  Ｍａｒｋｕｐ  Ｌａｎｇｕａｇｅ）形式のデータとして送信装置２０から送信される。
【００３６】
シグナリングデータは、随時、繰り返し送信される。例えば１００ｍｓｅｃ毎など、頻繁に繰り返し送信される。
これは、受信装置（クライアント）が、いつでも、即座にシグナリングデータを取得することを可能とするためである。
クライアント（受信装置）は、随時、受信可能なシグナリングデータに基づいて、必要な番組コンテンツのアクセス用アドレスの取得や、コーデック設定処理など、番組コンテンツの受信および再生に必要な処理を遅滞なく実行することが可能となる。
【００３７】
その他のデータ７０は、例えばＥＳＧ（Ｅｌｅｃｔｒｏｎｉｃ  Ｓｅｒｖｉｃｅ  Ｇｕｉｄｅ）、ＮＲＴコンテンツ等が含まれる。
ＥＳＧは、電子サービスガイド（Ｅｌｅｃｔｒｏｎｉｃ  Ｓｅｒｖｉｃｅ  Ｇｕｉｄｅ）であり、例えば番組表等の案内情報である。
ＮＲＴコンテンツはノンリアルタイム型のコンテンツである。
【００３８】
ＮＲＴコンテンツには、例えば、クライアントである受信装置３０のブラウザ上で実行される様々なアプリケーションファイル、動画、静止画等のデータファイル等が含まれる。
【００３９】
図２に示す以下のデータ、すなわち、
（ａ）シグナリングデータ５０
（ｂ）ＡＶセグメント６０
（ｃ）その他のデータ（ＥＳＧ，ＮＲＴコンテンツ等）７０
これらのデータは、例えば、データ通信プロトコル：ＦＬＵＴＥ（Ｆｉｌｅ  Ｄｅｌｉｖｅｒｙ  ｏｖｅｒ  Ｕｎｉ−ｄｉｒｅｃｔｉｏｎａｌ  Ｔｒａｎｓｐｏｒｔ）に従って送信される。
【００４０】
［２．データ通信プロトコルＦＬＵＴＥ、およびＲＯＵＴＥについて］
データ通信プロトコル：ＦＬＵＴＥ（Ｆｉｌｅ  Ｄｅｌｉｖｅｒｙ  ｏｖｅｒ  Ｕｎｉ−ｄｉｒｅｃｔｉｏｎａｌ  Ｔｒａｎｓｐｏｒｔ）はマルチキャストにより伝送するコンテンツのセッション管理を行うプロトコルである。
例えば送信装置であるサーバ側で生成されるファイル（ＵＲＬとバージョンで識別される）は、ＦＬＵＴＥプロトコルに従って、受信装置であるクライアントに送信される。
【００４１】
チューナ実装受信装置（クライアント）３０は、例えば記憶部（クライアントキャッシュ）に、受信ファイルのＵＲＬおよびバージョンとファイルを対応付けて蓄積する。
同じＵＲＬでバージョンが異なるものはファイルの中身が更新されているものとみなす。ＦＬＵＴＥプロトコルは一方向ファイル転送制御のみを行うもので、クライアントにおけるファイルの選択的なフィルタリング機能はないが、ＦＬＵＴＥで転送制御するファイルをそのファイルに紐づけられるメタデータを利用して、クライアント側で取捨選択することにより、選択的なフィルタリングを実現し、ユーザの嗜好を反映したローカルキャッシュを構成・更新管理することが可能となる。
なお、メタデータは、ＦＬＵＴＥプロトコルに拡張して組み込むこともできるし、別途ＥＳＧ（Ｅｌｅｃｔｒｏｎｉｃ  Ｓｅｒｖｉｃｅ  Ｇｕｉｄｅ）等のプロトコルで記述することもできる。
【００４２】
なお、ＦＬＵＴＥは、当初マルチキャストにおけるファイル転送プロトコルとして仕様化された。ＦＬＵＴＥは、ＦＤＴと、ＡＬＣと呼ばれるスケーラブルなファイルオブジェクトのマルチキャストプロトコル、具体的にはそのビルディングブロックであるＬＣＴやＦＥＣコンポーネント、の組み合わせにより構成される。
【００４３】
従来のＦＬＵＴＥは、主に非同期型のファイル転送に利用するために開発されたが、現在、放送波およびネットワークを介したデータ配信システムに関する規格化団体であるＡＴＳＣ（Ａｄｖａｎｃｅｄ  Ｔｅｌｅｖｉｓｉｏｎ  Ｓｙｓｔｅｍ  Ｃｏｍｍｉｔｔｅｅ）において、ブロードキャストライブストリーミングにも適用しやすくするための拡張を行っている。このＦＬＵＴＥの拡張仕様がＲＯＵＴＥ（Ｒｅａｌ−Ｔｉｍｅ  Ｏｂｊｅｃｔ  Ｄｅｌｉｖｅｒｙ  ｏｖｅｒ  Ｕｎｉｄｉｒｅｃｔｉｏｎａｌ  Ｔｒａｎｓｐｏｒｔ）と呼ばれる。
【００４４】
放送波およびネットワークを介したデータ配信システムに関する規格の１つとして現在、標準化が進められている規格としてＡＴＳＣ（Ａｄｖａｎｃｅｄ  Ｔｅｌｅｖｉｓｉｏｎ  Ｓｙｓｔｅｍ  Ｃｏｍｍｉｔｔｅｅ）３．０がある。このＡＴＳＣ３．０は、ＲＯＵＴＥを従来のＦＬＵＴＥプロトコルに置き換えて、シグナリングデータや、ＥＳＧ、あるいは非同期ファイル、同期型ストリーム等の送信に採用したスタック構成を規定している。
【００４５】
［３．送信装置と受信装置の実行する通信処理例について］
次に、送信装置と受信装置の実行する通信処理例について説明する。
図３は、送信装置および受信装置のプロトコルスタックの例を示す図である。
図３に示す例は、以下の２つの通信データの処理を行なうための２つのプロトコルスタックを有する。
（ａ）ブロードキャスト（マルチキャストも含む）通信（例えば放送型データ配信）
（ｂ）ユニキャスト（ブロードバンド）通信（例えばＨＴＴＰ型のＰ２Ｐ通信）
【００４６】
図３の左側が（ａ）ブロードキャスト通信（例えば放送型データ配信）に対応するプロトコルスタックである。
図３の右側が、（ｂ）ユニキャスト（ブロードバンド）通信（例えばＨＴＴＰ型のＰ２Ｐ通信）に対応するプロトコルスタックである。
【００４７】
図３左側に示す（ａ）ブロードキャスト通信（例えば放送型データ配信）に対応するプロトコルスタックは、下位レイヤから順に、以下のレイヤを持つ。
（１）ブロードキャスト物理レイヤ（Ｂｒｏａｄｃａｓｔ  ＰＨＹ）
（２）ＩＰマルチキャストレイヤ（ＩＰ  Ｍｕｌｔｉｃａｓｔ）
（３）ＵＤＰレイヤ
（４）ＲＯＵＴＥ（＝拡張型ＦＬＵＴＥ）レイヤ
（５）ＥＳＧ，ＮＲＴｃｏｎｔｅｎｔ，ＤＡＳＨ（ＩＳＯ  ＢＭＦＦ）およびＶｉｄｅｏ／Ａｕｄｉｏ／ＣＣ
（６）アプリケーションレイヤ（Ａｐｐｌｉｃａｔｉｏｎｓ（ＨＴＭＬ５））
【００４８】
なお、（２）ＩＰマルチキャストレイヤ（ＩＰ  Ｍｕｌｔｉｃａｓｔ）の上位レイヤとしてシグナリング（Ｓｉｇｎａｌｉｎｇ）レイヤが設定される。
シグナリングレイヤは、先に図２を参照して説明したシグナリングデータ５０の送受信に適用されるレイヤである。シグナリングデータには、番組表等の番組予定情報や、番組取得に必要となるアドレス情報（ＵＲＬ等）、さらにコンテンツの再生処理に必要な情報、例えばコーデック情報（符号化方式など）などからなる案内情報、制御情報などが含まれる。
【００４９】
シグナリングデータは、受信装置（クライアント）が受信、再生するＡＶセグメントのアクセス情報や、復号処理等の受信後の処理に必要となる案内情報や制御情報を含むデータであり、送信装置から随時繰り返し送信されるデータである。
【００５０】
シグナリングデータには、情報に応じた様々な種類がある。具体的には、例えば、サービス単位のシグナリングデータであるＵＳＤ（ユーザサービスディスクリプション（Ｕｓｅｒ  Ｓｅｒｖｉｃｅ  Ｄｅｓｃｒｉｐｔｉｏｎ））がある。
ＵＳＤには、様々な種類の制御情報が含まれる。代表的な制御情報として、コンテンツ（ＡＶセグメント）に対応する様々な案内情報、制御情報を格納したマニフェスト・ファイルを持つシグナリングデータであるＭＰＤ（メディアプレゼンテーションディスクリプション（Ｍｅｄｉａ  Ｐｒｅｓｅｎｔａｔｉｏｎ  Ｄｅｓｃｒｉｐｔｉｏｎ））がある。
【００５１】
各種のシグナリングデータは、それぞれ受信装置（クライアント）において、送信装置から送信されるＡＶセグメントやアプリケーション（アプリケーションプログラム）の受信、再生処理、制御処理に必要となるデータであり、例えばカテゴリ別に個別のファイル（メタファィル）として設定され、送信装置から送信される。
【００５２】
なお、（１）ブロードキャスト物理レイヤ（Ｂｒｏａｄｃａｓｔ  ＰＨＹ）の上位レイヤとして将来の新たなプロトコルの利用許容レイヤ（Ｆｕｔｕｒｅ  Ｅｘｔｅｎｓｉｂｉｌｉｔｙ）が設定されている。
【００５３】
（１）ブロードキャスト物理レイヤ（Ｂｒｏａｄｃａｓｔ  ＰＨＹ）は、ブロードキャスト通信を実行するための例えば放送系の通信部を制御する通信制御部によって構成される物理レイヤである。
（２）ＩＰマルチキャストレイヤ（ＩＰ  Ｍｕｌｔｉｃａｓｔ）は、ＩＰマルチキャストに従ったデータ送受信処理を実行するレイヤである。
（３）ＵＤＰレイヤは、ＵＤＰパケットの生成、解析処理レイヤである。
【００５４】
（４）ＲＯＵＴＥレイヤは、拡張型ＦＬＵＴＥプロトコルであるＲＯＵＴＥプロトコルにしたがって転送データの格納や取り出しを行うレイヤである。
ＲＯＵＴＥは、ＦＬＵＴＥと同様、ＡＬＣと呼ばれるスケーラブルなファイルオブジェクトのマルチキャストプロトコルであり、具体的にはそのビルディングブロックであるＬＣＴやＦＥＣコンポーネントの組み合わせにより構成される。
図４に、ＲＯＵＴＥ、およびＦＬＵＴＥに関するプロトコルスタックを示す。
【００５５】
（５）ＥＳＧ，ＮＲＴｃｏｎｔｅｎｔ，ＤＡＳＨ（ＩＳＯ  ＢＭＦＦ）およびＶｉｄｅｏ／Ａｕｄｉｏ／ＣＣは、ＲＯＵＴＥプロトコルに従って転送されるデータである。
【００５６】
ＤＡＳＨ規格に従った同報型配信サービスは、ＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）と呼ばれる。このＭＢＭＳをＬＴＥで効率的に実現させる方式としてｅＭＢＭＳ（ｅｖｏｌｖｅｄ  Ｍｕｌｔｉｍｅｄｉａ  Ｂｒｏａｄｃａｓｔ  Ｍｕｌｔｉｃａｓｔ  Ｓｅｒｖｉｃｅ）がある。
ＭＢＭＳやｅＭＢＭＳは、同報型配信サービスであり、特定のエリア内に位置する受信装置である複数のユーザ端末（ＵＥ）に対して共通のベアラで一斉に同一データ、例えば映画コンテンツなどを配信するサービスである。ＭＢＭＳやｅＭＢＭＳに従った同報配信により、配信サービス提供エリアに位置する多数のスマホやＰＣ、あるいはテレビ等の受信装置に、同じコンテンツを同時に提供することができる。
【００５７】
ＭＢＭＳ、およびｅＭＢＭＳは、３ＧＰＰファイルフォーマット（ＩＳＯ−ＢＭＦＦファイル、ＭＰ４ファイル）に従ったファイルを、転送プロトコルＲＯＵＴＥ、またはＦＬＵＴＥに従ってダウンロードする処理について規定している。
【００５８】
先に図２を参照して説明した以下のデータ、すなわち、
（ａ）シグナリングデータ５０
（ｂ）ＡＶセグメント６０
（ｃ）その他のデータ（ＥＳＧ、ＮＲＴコンテンツ等）７０
これらのデータの多くはＲＯＵＴＥプロトコル、またはＦＬＵＴＥプロトコルに従って送信される。
【００５９】
（５）ＥＳＧ，ＮＲＴｃｏｎｔｅｎｔ，ＤＡＳＨ（ＩＳＯ  ＢＭＦＦ）およびＶｉｄｅｏ／Ａｕｄｉｏ／ＣＣは、ＲＯＵＴＥプロトコルに従って転送されるデータである。
【００６０】
ＥＳＧは、電子サービスガイド（Ｅｌｅｃｔｒｏｎｉｃ  Ｓｅｒｖｉｃｅ  Ｇｕｉｄｅ）であり、例えば番組表等の案内情報である。
【００６１】
ＮＲＴｃｏｎｔｅｎｔはノンリアルタイム型のコンテンツである。
前述したように、ＮＲＴコンテンツには、例えば、クライアントである受信装置のブラウザ上で実行される様々なアプリケーションファイル、動画、静止画等のデータファイル等が含まれる。
Ｖｉｄｅｏ／Ａｕｄｉｏ／ＣＣは、ＤＡＳＨ規格に従って配信されるビデオやオーディオ等、再生対象となる実データである。
【００６２】
（６）アプリケーションレイヤ（Ａｐｐｌｉｃａｔｉｏｎｓ（ＨＴＭＬ５））は、ＲＯＵＴＥプロトコルに従って転送するデータの生成、あるいは解析、その他、様々なデータの出力制御等を実行するアプリケーションレイヤであり、例えばＨＴＭＬ５を適用したデータ生成、解析、出力処理等を行う。
【００６３】
一方、図３の右側に示す、（ｂ）ユニキャスト（ブロードバンド）通信（例えばＨＴＴＰ型のＰ２Ｐ通信）に対応するプロトコルスタックは、下位レイヤから順に、以下のレイヤを持つ。
（１）ブロードバンド物理レイヤ（Ｂｒｏａｄｂａｎｄ  ＰＨＹ）
（２）ＩＰユニキャストレイヤ（ＩＰ  Ｕｎｉｃａｓｔ）
（３）ＴＣＰレイヤ
（４）ＨＴＴＰレイヤ
（５）ＥＳＧ，Ｓｉｇｎａｌｉｎｇ，ＮＲＴｃｏｎｔｅｎｔ，ＤＡＳＨ（ＩＳＯ  ＢＭＦＦ）およびＶｉｄｅｏ／Ａｕｄｉｏ／ＣＣ
（６）アプリケーションレイヤ（Ａｐｐｌｉｃａｔｉｏｎｓ（ＨＴＭＬ５））
【００６４】
（１）ブロードバンド物理レイヤ（Ｂｒｏａｄｂａｎｄ  ＰＨＹ）は、ブロードバンド通信を実行する例えばネットワークカード等の通信部を制御するデバイスドライバ等の通信制御部によって構成される物理レイヤである。
（２）ＩＰユニキャストレイヤ（ＩＰ  Ｕｎｉｃａｓｔ）は、ＩＰユニキャスト送受信処理を実行するレイヤである。
（３）ＨＴＴＰレイヤは、ＨＴＴＰパケットの生成、解析処理レイヤである。
この上位レイヤは、図３左側の（ａ）ブロードキャスト通信（例えば放送型データ配信）のスタック構成と同様である。
【００６５】
なお、送信装置（サーバ）２０、チューナ実装受信装置（クライアント）３０は、図３の２つの処理系、すなわち、
（ａ）ブロードキャスト通信（例えば放送型データ配信）
（ｂ）ユニキャスト（ブロードバンド）通信（例えばＨＴＴＰ型のＰ２Ｐ通信）
これら２つの通信プロトコルスタックの少なくともいずれかに従った処理を行なう。
【００６６】
また、チューナ非実装受信装置（クライアント）４０は、チューナ実装受信装置（クライアント）３０との通信処理として、図３の右側の処理系、すなわち、
（ｂ）ユニキャスト（ブロードバンド）通信（例えばＨＴＴＰ型のＰ２Ｐ通信）
この通信プロトコルスタックに従った通信処理を実行する。
【００６７】
図３に示すプロトコルスタックにおいて、ＲＯＵＴＥ（ＦＬＵＴＥ）に従ってマルチキャスト転送されるファイル群の属性（ファイルの識別子であるＵＲＬを含む）は、ＲＯＵＴＥ（ＦＬＵＴＥ）の制御ファイル内に記述することもできれば、ファイル転送セッションを記述するシグナリング（Ｓｉｇｎａｌｉｎｇ）データ中に記述することもできる。また、ファイル転送セッションのさらなる詳細属性を（エンドユーザへの提示用途にも適用可能な）ＥＳＧにより記述することもできる。
【００６８】
前述したように、放送波およびネットワークを介したデータ配信システムに関する規格の１つとしてＡＴＳＣ（Ａｄｖａｎｃｅｄ  Ｔｅｌｅｖｉｓｉｏｎ  Ｓｙｓｔｅｍ  Ｃｏｍｍｉｔｔｅｅ）３．０の規格化が進められている。
ＡＴＳＣ３．０におけるＩＰベースのトランスポートスタックの標準化において、ＭＰＥＧ−ＤＡＳＨのファイルフォーマット（ＩＳＯ−ＢＭＦＦファイル、ＭＰ４ファイル）に基づくファイルをＦＬＵＴＥ（Ｆｉｌｅ  Ｄｅｌｉｖｅｒｙ  ｏｖｅｒ  Ｕｎｉｄｉｒｅｃｔｉｏｎａｌ  Ｔｒａｎｓｐｏｒｔ）を拡張したＲＯＵＴＥ（Ｒｅａｌ−Ｔｉｍｅ  Ｏｂｊｅｃｔ  Ｄｅｌｉｖｅｒｙ  ｏｖｅｒ  Ｕｎｉｄｉｒｅｃｔｉｏｎａｌ  Ｔｒａｎｓｐｏｒｔ）プロトコルにより転送する方法が提案され、標準候補方式として設定された。
【００６９】
ＲＯＵＴＥプロトコルを適用することで、ＤＡＳＨ規格のフラグメント化されたＭＰ４（ｆｒａｇｍｅｎｔｅｄ  ＭＰ４）ファイルシーケンスと、ＤＡＳＨ規格の制御情報（シグナリングデータ）格納メタファイルであるＭＰＤ（Ｍｅｄｉａ  Ｐｒｅｓｅｎｔａｔｉｏｎ  Ｄｅｓｃｒｉｐｔｉｏｎ））、ならびに、放送配信のためのシグナリングデータであるＵＳＢＤ／ＵＳＤ、Ｓ−ＴＳＩＤ（Ｓｅｒｖｉｃｅ  ｂａｓｅｄ  Ｔｒａｎｓｐｏｒｔ  Ｓｅｓｓｉｏｎ  Ｄｅｓｃｒｉｐｔｉｏｎ）等を転送することができる。
【００７０】
前述したように、ＲＯＵＴＥプロトコルはＦＬＵＴＥをベースとするプロトコルである。ＦＬＵＴＥにおける転送制御パラメータを記述したメタデータファイルをＦＤＴ（Ｆｉｌｅ  Ｄｅｌｉｖｅｒｙ  Ｔａｂｌｅ）と呼び、ＲＯＵＴＥにおける転送制御パラメータを記述したメタデータファイルをＳ−ＴＳＩＤ（Ｓｅｒｖｉｃｅ  ｂａｓｅｄ  Ｔｒａｎｓｐｏｒｔ  Ｓｅｓｓｉｏｎ  Ｄｅｓｃｒｉｐｔｉｏｎ）と呼ぶ。Ｓ−ＴＳＩＤはＦＤＴのスーパーセットでありＦＤＴを含む。
【００７１】
ＡＴＳＣ３．０サービスレイヤのシグナリングデータ（ＳＬＳ：Ｓｅｒｖｉｃｅ  Ｌａｙｅｒ  Ｓｉｇｎａｌｉｎｇ）として提案されているＵＳＢＤ／ＵＳＤ、Ｓ−ＴＳＩＤ、ＭＰＤ等はすべてＲＯＵＴＥセッションにより転送される。
【００７２】
［４．受信装置の構成例と処理例について］
次に、図５以下を参照してチューナ実装受信装置（クライアントＡ）３０と、チューナ非実装受信装置（クライアントＢ）４０の構成例と処理例について説明する。
放送サーバ２１は、放送波や、ネットワークを介したブロードキャスト送信により、放送コンテンツ等からなるＡＶセグメント、シグナリングデータ、その他のデータを送信する。
図には示していないが、放送サーバ２１以外の送信装置であるデータ配信サーバ２２もネットワークを介したブロードキャスト送信により、放送コンテンツ等からなるＡＶセグメント、シグナリングデータ、その他のデータを送信する。
【００７３】
図５に示すように、チューナ実装受信装置３０はミドルウェア１１０、ＨＴＴＰプロキシサーバ１２０、再生制御部（ＤＡＳＨクライアント）１３１、出力制御部１３２、シグナリングデータ処理部１４０を有する。
【００７４】
ミドルウェア１１０は、放送サーバ２１の提供データを受信し、解析する。
ミドルウェア１１０は、通信部（ＰＨＹ／ＭＡＣ）１１１、シグナリングデータを取得するシグナリング取得部１１２、シグナリングデータを解析するシグナリング解析部１１３、シグナリングデータ、および、映像、音声等の番組コンテンツデータや、アプリケーション等のＮＲＴコンテンツ等のデータファイルを取得するセグメント取得部１１４を有する。
【００７５】
さらに、放送番組や送信データの変更や詳細等の通知情報、受信装置において実行するアプリケーションに関する情報、受信装置において必要となる処理の情報などを含むイベント情報をシグナリングデータ、あるいはＡＶデータを格納したセグメント内に挿入する処理を実行するイベント挿入部１１５を有する。
【００７６】
イベント情報とは、例えば、番組表の変更や、放送コンテンツのデータ態様の変更、受信装置における放送コンテンツの再生時に実行すベき処理など、受信装置に対して通知すべき情報、何らかの処理の実行を要求するための情報などである。
【００７７】
ミドルウェア１１０は、さらに、受信装置において実行するための様々なアプリケーション（アプリケーションプログラム）を格納したアプリケーションファイルを取得するアプリケーションファイル取得部１１６を有する。
【００７８】
アプリケーションは、例えば、放送番組に重畳表示する天気情報やニュース情報、あるいは野球中継の場合の選手情報など、様々な情報表示を行うためのアプリケーションである。
アプリケーションの具体例としては、例えば、以下のようなものがある。
放送コンテンツが観光地の案内映像からなるコンテンツである場合に、その放送コンテンツに重畳表示するための地図情報、ホテル情報等を表示するためのアプリケーション。
放送コンテンツが野球中継である場合、各選手の打率、ホームラン数等の成績情報を表示するアプリケーション。
視聴者に対するクイズやアンケートを表示して、双方向通信を利用して視聴者からの回答を回収するためのアプリケーション。
この他にも、ユーザに応じて提供される広告表示など様々なアプリケーションがある。
【００７９】
ミドルウェア１１０が受信したデータは、プロキシサーバ１２０のキャッシュ部（プロキシキャッシュ）１２１に格納される。プロキシサーバ１２０は、さらにネットワーク経由でデータ配信サーバ２２から取得したデータをキャッシュ部（プロキシキャッシュ）１２２に格納する。
プロキシサーバ１２０は、出力制御部１３０からのデータ要求をアドレス解決部１２３に入力し、要求されたデータをキャッシュ部（プロキシキャッシュ）１２１，１２２、または外部から取得して提供する。
【００８０】
再生制御部（ＤＡＳＨ  Ｃｌｉｅｎｔ）１３１は、ＤＡＳＨ（ＭＰＥＧ−ＤＡＳＨ）規格に従って送信されたコンテンツの再生制御を実行する。
前述したように、ＭＰＥＧ−ＤＡＳＨ規格には、以下の２つの規格が含まれる。
（ａ）動画や音声ファイルの管理情報であるメタデータを記述するためのマニフェスト・ファイル（ＭＰＤ：Ｍｅｄｉａ  Ｐｒｅｓｅｎｔａｔｉｏｎ  Ｄｅｓｃｒｉｐｔｉｏｎ）に関する規格、
（ｂ）動画コンテンツ伝送用のファイル・フォーマット（セグメント・フォーマット）に関する規格、
送信装置２０から、チューナ実装受信装置３０に対するコンテンツ配信は、上記のＭＰＥＧ−ＤＡＳＨ規格に従って実行される。
【００８１】
コンテンツは、例えばＭＰＥＧにおいて規定されるＭＰ４ファイルフォーマットに従って所定単位の分割データであるセグメントとして送信され、再生制御部（ＤＡＳＨ  Ｃｌｉｅｎｔ）１３１は、マニフェスト・ファイル（ＭＰＤ）を参照して、再生対象コンテンツを格納したセグメントを取得する処理等を実行する。
【００８２】
出力制御部１３２は、再生制御部の取得したセグメントから符号化コンテンツを取り出して復号し、表示部等の出力部に出力する。
【００８３】
シグナリングデータ処理部（ＳＬＳ  Ｓｉｇｎａｌｉｎｇ  Ｐａｒｓｅｒ＆Ｖｉｅｗｅｒ）１４０は、送信装置２０（放送サーバ２１、データ配信サーバ２２）が送信するシグナリングデータに基づく処理を実行する。
先に図２を参照して説明したように、シグナリングデータ５０は、番組表等の番組予定情報や、番組取得に必要となるアドレス情報（ＵＲＬ（Ｕｎｉｆｏｒｍ  Ｒｅｓｏｕｒｃｅ  Ｌｏｃａｔｏｒ）等）、さらにコンテンツの再生処理に必要な情報、例えばコーデック情報（符号化方式など）などからなる案内情報、アプリケーション制御情報等の様々な制御情報によって構成される。
【００８４】
シグナリングデータ処理部（ＳＬＳ  Ｓｉｇｎａｌｉｎｇ  Ｐａｒｓｅｒ＆Ｖｉｅｗｅｒ）１４０は、シグナリングデータ（ＳＬＳ：Ｓｅｒｖｉｃｅ  Ｌａｙｅｒ  Ｓｉｇｎａｌｉｎｇ）を取得して取得したシグナリングデータに基づく処理を実行する。
シグナリングデータ処理部１４０は、シグナリングデータに基づく様々な処理を行なう。例えば、番組表等の番組予定情報や、番組取得に必要となるアドレス情報（ＵＲＬ）、コーデック情報（符号化方式など）を再生制御部１３１に提供する処理や、シグナリングデータの表示、例えば番組表の表示処理などを行う。
【００８５】
なお、番組スケジュール（番組表）や、アドレス情報、コーデック情報等のシグナリングデータは、随時更新される可能性があり、受信装置では、最新のシグナリングデータを利用した処理を行なう必要がある。
【００８６】
さらに、図５に示すチューナ非実装受信装置（クライアントＢ）４０は、例えばイーサネット（登録商標）やＷｉ−Ｆｉ等のネットワークによって、チューナ実装受信装置（クライアントＡ）３０と接続され、チューナ実装受信装置（クライアントＡ）３０との通信を実行する。
チューナ非実装受信装置（クライアントＢ）４０は、チューナ実装受信装置（クライアントＡ）３０が、放送サーバ２１や、データ配信サーバ２２から受信したコンテンツ等のデータを、チューナ実装受信装置（クライアントＡ）３０を介して受信し、コンテンツ再生を実行する。
【００８７】
図５に示すチューナ非実装受信装置（クライアントＢ）４０は、
再生制御部（ＤＡＳＨ  Ｃｌｉｅｎｔ）１５１、
出力制御部１５２、
シグナリングデータ処理部１６０、
これらの構成を有する。
これらの構成、機能は、チューナ実装受信装置（クライアントＡ）３０において説明した再生制御部（ＤＡＳＨ  Ｃｌｉｅｎｔ）１３１、出力制御部１３２、シグナリングデータ処理部１４０と同様である。
【００８８】
図６は、チューナ実装受信装置（クライアントＡ）３０の有する、
再生制御部（ＤＡＳＨ  Ｃｌｉｅｎｔ）１３１、
出力制御部１３２と、
チューナ非実装受信装置（クライアントＢ）４０の有する、
再生制御部（ＤＡＳＨ  Ｃｌｉｅｎｔ）１５１、
出力制御部１５２、
これらの詳細構成を示す図である。
【００８９】
チューナ実装受信装置（クライアントＡ）３０の再生制御部（ＤＡＳＨ  Ｃｌｉｅｎｔ）１３１は、ＭＰＤ取得部２０１、ＭＰＤ解析部２０２、セグメント取得部２０３、セグメント（ＭＰ４）解析部２０４、さらにイベント抽出部２０５を有する。
【００９０】
再生制御部（ＤＡＳＨ  Ｃｌｉｅｎｔ）１３１は、前述したように、ＤＡＳＨ（ＭＰＥＧ−ＤＡＳＨ）規格に従って送信されたコンテンツの再生制御を実行する。
ＭＰＤ取得部２０１は、動画や音声ファイルの管理情報記述ファイルであるマニフェスト・ファイル（ＭＰＤ：Ｍｅｄｉａ  Ｐｒｅｓｅｎｔａｔｉｏｎ  Ｄｅｓｃｒｉｐｔｉｏｎ）を取得する。
ＭＰＤは、放送サーバ２１、データ配信サーバ２２から提供され、プロキシサーバ１２０に格納された後、再生制御部１３１が取得する。
【００９１】
ＭＰＤ解析部２０２は、ＭＰＤ取得部２０１の取得したＭＰＤの記述内容を解析し、再生対象データに対応するセグメントの取得に必要となる情報等をセグメント取得部に提供する。
【００９２】
セグメント取得部２０３は、ＭＰＤ解析部２０２のＭＰＤ解析結果に従って、再生対象データに対応するセグメントの取得を行う。
セグメントは、ＡＶデータからなるコンテンツ伝送用のファイル・フォーマット（セグメント・フォーマット）に従って設定される所定の単位データである。
【００９３】
セグメント解析部２０４は、セグメント取得部２０３の取得したセグメントから、符号化画像データ、符号化音声データ等を取得して、出力制御部１３２の復号部（デコーダ）２１１に出力する。
【００９４】
さらに、セグメント解析部２０４は、セグメントに、シグナリングデータ更新情報［ＳＬＳ（Ｓｅｒｖｉｃｅ  Ｌａｙｅｒ  Ｓｉｇｎａｌｉｎｇ）Ｕｐｄａｔｅ  Ｎｏｔｉｆｉｃａｔｉｏｎ］が含まれている場合、セグメントをイベント抽出部２０５に出力する。
イベント抽出部２０５は、セグメントに記録されたシグナリングデータ更新情報をシグナリングデータ処理部１４０に出力する。
この処理の詳細については、後段で説明する。
【００９５】
イベント抽出部２０５は、セグメントに格納されたイベント情報の抽出を実行し、抽出したイベント情報に含まれるシグナリングデータ更新情報をシグナリングデータ処理部１４０に出力する。
【００９６】
シグナリングデータ更新情報は、シグナリングデータ処理部１４０が制御対象とするシグナリングデータに関する制御情報である。
このシグナリングデータ更新情報は、またはセグメントにイベント情報として格納される。
先に説明したように、シグナリングデータは、番組表等の番組予定情報や、番組取得に必要となるアドレス情報（ＵＲＬ（Ｕｎｉｆｏｒｍ  Ｒｅｓｏｕｒｃｅ  Ｌｏｃａｔｏｒ）等）、さらにコンテンツの再生処理に必要な情報、例えばコーデック情報（符号化方式など）などからなる案内情報、アプリケーション制御情報等の様々な制御情報によって構成される。
シグナリングデータ処理部１４０は、これらの情報に基づく様々な処理を行なう。例えば、番組表等の番組予定情報や、番組取得に必要となるアドレス情報（ＵＲＬ）、コーデック情報（符号化方式など）を再生制御部１３１に提供する処理や、シグナリングデータの表示、例えば番組表の表示処理などを行う。
シグナリングデータ処理部１４０は、シグナリングデータ更新情報に応じて、更新されたシグナリングデータを適用した処理を行なうことが可能となる。
なお、この具体的構成については後述する。
【００９７】
チューナ実装受信装置（クライアントＡ）３０の出力制御部１３２は、復号部（デコーダ）２１１と、出力部（レンダラ）２１２を有する。
復号部（デコーダ）２１１は、セグメント解析部２０４から提供された符号化画像データ、符号化音声データの復号処理（デコード）を実行する。
出力部２１２は、復号された画像データ、音声データを出力部（ディスプレイ、スピーカ）に出力する。
【００９８】
なお、チューナ非実装受信装置（クライアントＢ）４０の再生制御部（ＤＡＳＨ  Ｃｌｉｅｎｔ）１５１は、ＭＰＤ取得部２５１、ＭＰＤ解析部２５２、セグメント取得部２５３、セグメント（ＭＰ４）解析部２５４、さらにイベント抽出部２５５を有する。
また、出力制御部１５２は、復号部（デコーダ）２６１と、出力部（レンダラ）２６２を有する。
これらの構成、および実行する処理は、チューナ実装受信装置（クライアントＡ）３０の構成、処理と同様である。
【００９９】
なお、チューナ非実装受信装置（クライアントＢ）４０の再生制御部（ＤＡＳＨ  Ｃｌｉｅｎｔ）１５１には、チューナ実装受信装置（クライアントＡ）３０のプロキシサーバ１２０、ネットワークを介してＭＰＤ、セグメントが入力される。
また、チューナ非実装受信装置（クライアントＢ）４０のシグナリングデータ処理部１６０には、チューナ実装受信装置（クライアントＡ）３０のプロキシサーバ１２０、ネットワークを介してシグナリングデータ（ＳＬＳ）が入力される。
【０１００】
チューナ実装受信装置（クライアントＡ）３０、およびチューナ非実装受信装置（クライアントＢ）４０の再生制御部（ＤＡＳＨ  Ｃｌｉｅｎｔ）１３１，１５１は、ＡＴＳＣ３．０クライアントアプリケーション（３．０  ＤＡＳＨ  Ｃｌｉｅｎｔ）の実行部である。
ＡＴＳＣ３．０クライアントアプリケーションは、ＡＴＳＣ３．０放送受信クライアントデバイス上に実装されたブラウザ上で実行される。あるいは、ブラウザアプリケーションとしてだけではなくネィティブアプリケーションとして実行される場合もある。
【０１０１】
再生制御部（ＤＡＳＨ  Ｃｌｉｅｎｔ）１３１，１５１の実行するＡＴＳＣ３．０クライアントアプリケーションは、ＡＴＳＣ３．０  ＤＡＳＨクライアントアプリケーション（３．０  ＤＡＳＨ  Ｃｌｉｅｎｔ）や、ＡＴＳＣ３．０ストリーム付随アプリケーション（３．０  Ａｐｐｌｉｃａｔｉｏｎ）等からなる。
【０１０２】
再生制御部（ＤＡＳＨ  Ｃｌｉｅｎｔ）１３１，１５１のＡＴＳＣ３．０クライアントアプリケーション、および出力制御部１３２，１５２は、ミドルウェア（Ｃｌｉｅｎｔ  Ｌｏｃａｌ  ＡＴＳＣ  Ｍｉｄｄｌｅｗａｒｅ）１１０が受信したデータ、プロキシサーバ（Ｃｌｉｅｎｔ  Ｌｏｃａｌ  ＨＴＴＰ  Ｐｒｏｘｙ  Ｓｅｒｖｅｒ）１２０がネットワークを介して受信したデータの処理を実行する。
【０１０３】
ミドルウェア１１０、またはプロキシサーバ１２０の取得した、ＤＡＳＨ−ＭＰＤファイルやＤＡＳＨセグメント（ｓｅｇｍｅｎｔ）ファイル、その他一般のアプリケーションファイル、ならびに、シグナリングデータを格納したＳＬＳ（Ｓｅｒｖｉｃｅ  ｌｅｖｅｌ  Ｓｉｇｎａｌｉｎｇ）ファイルを入力して、ストリームのレンダリングや、アプリケーションの制御を行う。
【０１０４】
このモデルは、再生制御部（ＤＡＳＨ  Ｃｌｉｅｎｔ）１３１，１５１の実行するＡＴＳＣ３．０クライアントアプリケーションや、シグナリングデータ処理部１６０の実行するアブリケーションからすると、必ずプロキシサーバ１２０を介して外の世界にアクセスするため、それらファイル群を放送経由で取得しているのか、ネット経由で取得しているのかの区別を意識することがない（ネットワーク透過性が提供される）ため、アプリケーションの可搬性を高めることが可能となる。
従って放送向けのみに特化してアプリケーションを実装する必要がなく、放送もインターネットのどちらを使うかによらない実装とすることができる。
【０１０５】
再生制御部（ＤＡＳＨ  Ｃｌｉｅｎｔ）１３１，１５１の実行するＡＴＳＣ３．０クライアントアプリケーションがＤＡＳＨ−ＭＰＤファイルやＤＡＳＨセグメント（ｓｅｇｍｅｎｔ）ファイル、その他一般のアプリケーションファイル、ならびに、シグナリングデータファイルの取得を要求（ＨＴＴＰリクエスト）すると、それを受けたプロキシサーバ１２０が、アドレス解決部（Ｂｒｏａｄｃａｓｔ／Ｂｒｏａｄｂａｎｄ  Ａｄｄｒｅｓｓ  Ｒｅｓｏｌｖｅｒ）１２３において放送受信スタックを介して取得するか、ネット経由で取得するかの判断を行う。
【０１０６】
判断材料となる情報は、シグナリング解析部（ＳＬＳ  Ｓｉｇｎａｌｉｎｇ  Ｐａｒｓｅｒ）１１３から提供される。シグナリング解析部（ＳＬＳ  Ｓｉｇｎａｌｉｎｇ  Ｐａｒｓｅｒ）１１３は、シグナリング取得部（ＳＬＳ  Ｓｉｇｎａｌｉｎｇ  Ｒｅｔｒｉｅｖｅｒ）１１２に、ＡＴＳＣ３．０のシグナリングメタであるＵＳＢＤ／ＵＳＤやＳ−ＴＳＩＤ等の取得要求を行う。
【０１０７】
シグナリング取得部（ＳＬＳ  Ｓｉｇｎａｌｉｎｇ  Ｒｅｔｒｉｅｖｅｒ）１１２は、通信部（ＡＴＳＣチューナ：ＡＴＳＣ３．０  ＰＨＹ／ＭＡＣ）１１１を介して放送受信するＳＬＳ  ＬＣＴパケットにより運ばれるシグナリングメタを抽出する。
【０１０８】
シグナリング解析部（ＳＬＳ  Ｓｉｇｎａｌｉｎｇ  Ｐａｒｓｅｒ）１１３は、また、セグメントやアプリケーションリソースの取得要求に含まれるｕｒｌから、シグナリングメタを抽出して、対象となるファイルを取得するための放送配信アドレス情報を解決する。放送配信される（た）ことがわかれば、その放送配信アドレス情報をもとにして、所望のファイルが格納されたＬＣＴパケットを放送ストリームから取得し、キャッシュ（Ｐｒｏｘｙ  Ｃａｃｈｅ）部１２１，１２２内に展開する。プロキシサーバ１２０は、当該ファイルを再生制御部１３１やシグナリングデータ処理部１４０に（ＨＴＴＰのレスポンスとして）返す。アプリケーションパーツの取得要求に含まれるｕｒｌがシグナリングメタになければ、プロキシサーバ１２０は、通常のネットスタックを介して当該ファイルを取得する。
【０１０９】
［５．シグナリングデータ更新情報の転送処理について］
前述したように、現在開発途上にあるＡＴＳＣ３．０においては、ＡＴＳＣ３．０準拠物理層（ＡＴＳＣ−ＰＨＹ）を実装したチューナ実装受信装置３０上に、ミドルウェア（ＡＴＳＣ３．０放送受信ミドルウェア）１１０を実装して、シグナリングデータ（ＡＴＳＣ放送シグナリング）を解析するモデルを検討している。
すなわち、ミドルウェア１１０をシグナリングデータの受信タイミングにおける即時解析処理が可能な終端デバイスとし、再生制御部（ＤＡＤＨクライアント）等にシグナリングデータの即時解析負荷を発生させない設定としたモデルを検討している。この設定により、インターネットで利用されているＤＡＳＨクライアントアプリケーションをそのまま利用して、ＡＴＳＣ放送の受信、再生を実現することが可能となる。
【０１１０】
このモデルは、チューナ実装受信装置３０によって受信した放送コンテンツや、ネットワーク受信コンテンツを、チューナ非実装受信装置４０に転送し、チューナ非実装受信装置４０の再生制御部１５１の実行するＡＴＳＣ３．０  ＤＡＳＨクライアントアプリケーションの処理によってコンテンツ再生を行なうことも可能とする。
【０１１１】
チューナ実装受信装置３０は、例えば共用スペース（ホットスポット）に設置した中継サーバや、家庭に設置したホームサーバ、ＰＣ等であり、放送波を受信可能なチューナを実装した受信装置である。
チューナ実装受信装置３０の受信データは、ネットワーク（家庭内ならホームネットワーク（ＬＡＮ／ＷｉＦｉ等）、ホットスポットならＷｉＦｉ等）を介して、チューナ非実装受信装置４０に転送される。
チューナ非実装受信装置４０は、再生制御部１５１においてＡＴＳＣ３．０  ＤＡＳＨクライアントアプリケーションを実行して、コンテンツ再生を行なう。
【０１１２】
本開示の構成では、ＡＴＳＣ３．０放送サービスによって提供されるシグナリングデータの即時解析処理を、チューナ実装受信装置（クライアントＡ）３０のミドルウェア１１０が実行する。
チューナ実装受信装置（クライアントＡ）３０は、シグナリング情報にシグナリングデータ更新情報が含まれている場合には、それを受信したタイミングでできるだけ早く、シグナリングデータ更新情報を利用する受信装置に提供する。
【０１１３】
通常、再生制御部（ＤＡＳＨ  Ｃｌｉｅｎｔ）１３１，１５１は、画像や音声等のＡＶデータからなるコンテンツを含むセグメント（ＤＡＳＨセグメント）のＨＴＴＰによる取得を連続して実行する実装となる。一旦ストリーミング再生が開始されると常に再生制御部（ＤＡＳＨ  Ｃｌｉｅｎｔ）１３１，１５１がＨＴＴＰ取得／再生処理を継続して行う。
セグメント（ＡＶセグメント等のＤＡＳＨセグメント）を提供するサーバはＤＡＳＨサーバと呼ばれる。
ＤＡＳＨサーバは、具体的には、
放送サーバ２１、データ配信サーバ２２、
さらに、チューナ実装受信装置（クライアントＡ）３０のプロキシサーバ１２０もＤＡＳＨサーバとなる。
【０１１４】
チューナ実装受信装置３０や、チューナ非実装受信装置４０の再生制御部１３１，１５１は、ＤＡＳＨサーバと常時接続されるＰｕｌｌ型のコミュニケーションセッションを利用してセグメント取得を継続的に行い、放送番組等のコンテンツ再生を実行する。
【０１１５】
このセグメント取得セッション中で、シグナリングデータ処理部１４０において処理が必要となるシグナリングデータに関する更新がなされた場合、その更新イベント、あるいは更新されたシグナリングデータそのものを、即座にシグナリングデータ処理部１４０に通知することが必要となる。
【０１１６】
本開示の構成は、ＤＡＳＨで規定されているイベント（Ｅｖｅｎｔ）通知機構を拡張してこのシグナリングデータ更新情報を抽出してシグナリングデータ処理部に出力する構成を提案するものである。
【０１１７】
本開示の処理では、ミドルウェア（ＡＴＳＣ３．０放送受信ミドルウェア）１１０が取得したシグナリングデータ更新情報を、例えばストリームセッション中に差し込むことができる。
従って、例えば、通信部１１１やミドルウェア１１０を実装しないチューナ非実装受信装置（クライアントＢ）４０に対しても、ストリームに同期してシグナリングデータ更新情報を転送することができる。
【０１１８】
通信部１１１やミドルウェア１１０を実装するチューナ実装受信装置（クライアントＡ）３０と、ネットワーク（家庭内ならホームネットワーク（ＬＡＮ／ＷｉＦｉ等）、ホットスポットならＷｉＦｉ等）を介して接続されるチューナ非実装受信装置（クライアントＢ）４０は、ＡＶセグメント転送セッションの他の新たなシグナリングセージングセッションを開設することなく、ストリームに同期してシグナリングデータ更新情報を受信して、タイムリなシグナリングデータに基づく処理を実行することができる。
【０１１９】
［６．イベント通知構成について］
次に、ＤＡＳＨ規格において規定されているイベント通知構成について説明する。
ＤＡＳＨ規格では、ＤＡＳＨイベント（ＤＡＳＨ  Ｅｖｅｎｔ）と呼ばれるイベント通知機構が定義されている。
イベント通知機構は、例えば、放送番組や送信データの変更や詳細等の通知情報、受信装置において実行するアプリケーションに関する情報、受信装置に通知すべき情報、受信装置において必要となる処理の情報など、様々なイベント情報の通知を行うための機構である。
【０１２０】
ＤＡＳＨ規格においてはイベント通知機構として、以下の２種類のイベント通知方式が規定されている。
（ａ）ＭＰＤ適用イベント通知方式（＝ＭＰＤ  Ｅｖｅｎｔ）、
（ｂ）セグメント適用イベント通知方式（＝Ｉｎ−ｂａｎｄ  Ｅｖｅｎｔ  Ｓｉｇｎａｌｉｎｇ）
これらの２種類のイベント通知方式が規定されている。
以下、これらの２つのイベント通知方式の詳細について、順次、説明する。
【０１２１】
［６−１．ＭＰＤ適用イベント通知方式（＝ＭＰＤ  Ｅｖｅｎｔ）について］
ＭＰＤ適用イベント通知方式（＝ＭＰＤ  Ｅｖｅｎｔ）は、ＤＡＳＨ規格に規定されたシグナリングデータの１つであるＭＰＤ（Ｍｅｄｉａ  Ｐｒｅｓｅｎｔａｔｉｏｎ  Ｄｅｓｃｒｉｐｔｉｏｎ）を利用してイベントを通知する方式である。
【０１２２】
ＭＰＤ適用イベント通知方式（＝ＭＰＤ  Ｅｖｅｎｔ）は、ＭＰＤに規定可能なピリオド（Ｐｅｒｉｏｄ）単位で、イベント要素、具体的には、イベント種類や、イベント内容を示すイベントストリーム（ＥｖｅｎｔＳｔｒｅａｍ）等の要素を追加することができる。
【０１２３】
ＭＰＤ適用イベント通知方式（＝ＭＰＤ  Ｅｖｅｎｔ）では、ＭＰＤを利用して、ピリオド（Ｐｅｒｉｏｄ）単位でイベント処理に必要な情報をクライアントに提供できる。
具体的には、ＭＰＤ適用イベント通知方式（＝ＭＰＤ  Ｅｖｅｎｔ）では、
（ａ）様々なイベントのアクティベート（開始／実行／活性化）タイミング等のイベントスケジュール、
（ｂ）各タイミングにおいてクライアント（受信装置）が処理すべきイベント処理、さらに、
（ｃ）イベント実行時にクライアント上で稼働するアプリケーションに渡すべきデータ等、
これらをＭＰＤに記述することができる。
【０１２４】
図７は、ＭＰＤのフォーマットを示す図である。
ＭＰＤは、画像や、音声それぞれのストリームごとに、以下の規定範囲単位で属性等の情報や制御情報を記述することが可能な構成を持つ。
（１）時間軸上の区間を規定したピリオド（Ｐｅｒｉｏｄ）
（２）画像、音声等のデータ種類等を規定したアダプテーション（Ａｄａｐｔａｔｉｏｎ）
（３）画像の種類、音声の種類等を規定したリプレゼンテーション（Ｒｅｐｒｅｓｅｎｔａｔｉｏｎ）
（４）画像、音声のセグメント（ＡＶセグメント）単位の情報記録領域となるセグメントインフォ（ＳｅｇｍｅｎｔＩｎｆｏ）
【０１２５】
図８は、ＭＰＤに記録されるＡＶセグメント対応の情報（制御情報や管理情報、属性情報など）を時系列に展開して示した図である。
左から右に時間が経過するものとする。この時間軸は、例えば受信装置におけるＡＶコンテンツの再生時間に対応する。
【０１２６】
ＡＶセグメントに対応する様々な情報がＭＰＤに記録される。なお、ＭＰＤはシグナリングデータの一部であり、例えばＡＶセグメントに先行して送信される。
ＭＰＤは、図７を参照して説明したように、以下の各データ単位で情報が記録できる。
（１）時間軸上の区間を規定したピリオド（Ｐｅｒｉｏｄ）
（２）画像、音声等のデータ種類等を規定したアダプテーション（Ａｄａｐｔａｔｉｏｎ）
（３）画像の種類、音声の種類等を規定したリプレゼンテーション（Ｒｅｐｒｅｓｅｎｔａｔｉｏｎ）
（４）画像、音声のセグメント（ＡＶセグメント）単位の情報記録領域となるセグメントインフォ（ＳｅｇｍｅｎｔＩｎｆｏ）
図８は、これらのデータ領域を時間軸、およびデータ種類別に展開して示した図である。
【０１２７】
図８には、以下の２つのアダプテーション（Ａｄａｐｔａｔｉｏｎ）を示している。
（Ｖ）画像対応情報記録領域であるアダプテーションＶ（Ａｄａｐｔａｔｉｏｎ（Ｖ））
（Ａ）音声対応情報記録領域であるアダプテーションＡ（Ａｄａｐｔａｔｉｏｎ（Ａ））
【０１２８】
（Ｖ）画像対応情報記録領域であるアダプテーションＶ（Ａｄａｐｔａｔｉｏｎ（Ｖ））は、異なる属性を持つストリーム単位の情報記録領域として、以下の２つのリプレゼンテーション（Ｒｅｐｒｅｓｅｎｔａｔｉｏｎ）を有する。
（Ｖ１）低ビットレート画像対応の情報記録領域であるリプレゼンテーション（Ｖ１）（Ｒｅｐｒｅｓｅｎｔａｔｉｏｎ（Ｖ１））
（Ｖ２）高ビットレート画像対応の情報記録領域であるリプレゼンテーション（Ｖ２）（Ｒｅｐｒｅｓｅｎｔａｔｉｏｎ（Ｖ２））
【０１２９】
同様に、（Ａ）音声像対応情報記録領域であるアダプテーションＡ（Ａｄａｐｔａｔｉｏｎ（Ａ））は、異なる属性を持つストリーム単位の情報記録領域としての以下の２つのリプレゼンテーション（Ｒｅｐｒｅｓｅｎｔａｔｉｏｎ）を有する。
（Ａ１）日本語音声対応の情報記録領域であるリプレゼンテーション（Ａ１）（Ｒｅｐｒｅｓｅｎｔａｔｉｏｎ（Ａ１））
（Ａ２）英語音声対応の情報記録領域であるリプレゼンテーション（Ａ２）（Ｒｅｐｒｅｓｅｎｔａｔｉｏｎ（Ａ２））
【０１３０】
さらに、各リプレゼンテーション（Ｒｅｐｒｅｓｅｎｔａｔｉｏｎ）は、再生時間軸対応のピリオド、さらに、セグメント単位で情報が記録可能な構成となっている。
【０１３１】
例えば、高ビットレート画像と日本語音声を選択して再生する受信装置（クライアント）は、ピリオド１のセグメント（１１）の再生に際して、再生対象とする高ビットレート画像と日本語音声に関する情報をＭＰＤから選択して取得することになる。
この選択対象とするＭＰＤの記録情報が、図に示すセグメント領域３０１，３０２の情報となる。
【０１３２】
このように、受信装置は、シグナリングデータとして送信装置から送信されるＭＰＤから、自装置で再生対象とするデータ（セグメント）に対応する情報のみを選択して参照する。
【０１３３】
このように、ＭＰＤには、データ種別、時間単位のセグメント対応情報を記録することができる。
例えば、受信装置（クライアント）における様々な処理要求を通知するためのイベント通知も、このＭＰＤに記録することができる。
図９は、ＭＰＤを用いたイベント通知、すなわち、ＭＰＤ適用イベント通知方式（＝ＭＰＤ  Ｅｖｅｎｔ）を適用した場合のＭＰＤの記述例を示す図である。
イベント情報を含むＭＰＤは、例えば以下の記述を有する。
【０１３４】
＜ＭＰＤ  ａｖａｉｌａｂｉｌｉｔｙＳｔａｒｔＴｉｍｅ＝"２０１１−１２−２５Ｔ１２：３０：００
＜Ｐｅｒｉｏｄ  ｓｔａｒｔＴｉｍｅ＝'０'＞
・・・
＜ＥｖｅｎｔＳｔｒｅａｍ  ｓｃｈｅｍｅＩｄＵｒｉ＝'ｕｒｎ：ｘｘｘ'  ｔｉｍｅｓｃａｌｅ＝'１０００'＞
＜Ｅｖｅｎｔ  ｐｒｅｓｅｎｔａｔｉｏｎＴｉｍｅ＝'０'  ｄｕｒａｔｉｏｎ＝'１０００'＞イベントデータ１＜／Ｅｖｅｎｔ＞
＜Ｅｖｅｎｔ  ｐｒｅｓｅｎｔａｔｉｏｎＴｉｍｅ＝'１０００'  ｄｕｒａｔｉｏｎ＝'４０００'＞イベントデータ２＜／Ｅｖｅｎｔ＞
…．
＜／ＥｖｅｎｔＳｔｒｅａｍ＞
・・・
＜ＡｄａｐｔａｔｉｏｎＳｅｔ＞
＜Ｒｅｐｒｅｓｅｎｔａｔｉｏｎ／＞
＜Ｒｅｐｒｅｓｅｎｔａｔｉｏｎ／＞
＜／ＡｄａｐｔａｔｉｏｎＳｅｔ＞
・・・
＜／Ｐｅｒｉｏｄ＞
＜／ＭＰＤ＞
【０１３５】
上記のＭＰＤのデータ内容について説明する。
＜ＭＰＤ  ａｖａｉｌａｂｉｌｉｔｙＳｔａｒｔＴｉｍｅ＝"２０１１−１２−２５Ｔ１２：３０：００
このデータ記録記録領域は、このＭＰＤに記録されたデータに対応する最初のピリオドの開始時刻情報の記録領域である。時刻情報としては例えばＵＴＣ時刻が用いられる。
【０１３６】
＜Ｐｅｒｉｏｄ  ｓｔａｒｔＴｉｍｅ＝'０'＞
このデータ記録記録領域は、ピリオド開始時間情報記録領域である。ＭＰＤにおいて規定されるスタート時間（ＭＰＤ／＠ａｖａｉｌａｂｉｌｉｔｙＳｔａｒｔＴｉｍｅ）からのオフセット時間が記録される。
【０１３７】
＜ＥｖｅｎｔＳｔｒｅａｍ  ｓｃｈｅｍｅＩｄＵｒｉ＝'ｕｒｎ：ｘｘｘ'  ｔｉｍｅｓｃａｌｅ＝'１０００'＞
このデータ記録記録領域は、イベント種類等を示すイベントストリーム指定情報とタイムスケール情報の記録領域である。
「ＥｖｅｎｔＳｔｒｅａｍ  ｓｃｈｅｍｅＩｄＵｒｉ＝'ｕｒｎ：ｘｘｘ'」と、オプショナルな「ＥｖｅｎｔＳｔｒｅａｍ／＠ｖａｌｕｅ」によりイベントの種類等が定義される。
さらに、「ｔｉｍｅｓｃａｌｅ＝'１０００'」は、以下に記録されるプレゼンテーションタイム（ｐｒｅｓｅｎｔａｔｉｏｎＴｉｍｅ）の単位時間は１／１０００秒であることを示す。
【０１３８】
＜Ｅｖｅｎｔ  ｐｒｅｓｅｎｔａｔｉｏｎＴｉｍｅ＝'０'  ｄｕｒａｔｉｏｎ＝'１０００'＞イベントデータ１＜／Ｅｖｅｎｔ＞
このデータ記録記録領域は、イベントデータの記録領域と、イベントのアクティベート（実行開始等）時間や継続時間等のイベントスケジューリングデータの記録領域である。
イベントデータは、イベントを実行するために必要となる実体データ、メタデータ、コマンド等のデータや、そのアクセス情報等によって構成される。
さらに、イベントのアクティベート（実行開始等）時間や継続時間が記録される。
この例は、イベントデータ１によって特定されるイベントを、アクティベート（活性化／実行）時刻＝０で１０００単位時間継続することを指定している。
【０１３９】
＜Ｅｖｅｎｔ  ｐｒｅｓｅｎｔａｔｉｏｎＴｉｍｅ＝'１０００'  ｄｕｒａｔｉｏｎ＝'４０００'＞イベントデータ１＜／Ｅｖｅｎｔ＞
このデータ記録記録領域も、イベントデータの記録領域と、イベントのアクティベート（実行開始等）時間や継続時間等のイベントスケジューリングデータの記録領域である。
イベントデータは、イベントを実行するために必要となる実体データ、メタデータ、コマンド等のデータや、そのアクセス情報等によって構成される。
さらに、イベントのアクティベート（実行開始等）時間や継続時間が記録される。
この例は、イベントデータ２によって特定されるイベントを、アクティベート（活性化／実行）時刻＝１０００で４０００単位時間継続することを指定している。
【０１４０】
以下の、
＜ＡｄａｐｔａｔｉｏｎＳｅｔ＞
＜Ｒｅｐｒｅｓｅｎｔａｔｉｏｎ／＞
＜Ｒｅｐｒｅｓｅｎｔａｔｉｏｎ／＞
これらは、各データ種類別の情報を記録するデータ記録領域である。
【０１４１】
このように、ＭＰＤを用いたイベント通知、すなわち、ＭＰＤ適用イベント通知方式（ＭＰＤ  Ｅｖｅｎｔ）では、
ＥｖｅｎｔＳｔｒｅａｍ／＠ｓｃｈｅｍｅＩｄＵｒｉ（とオプショナルなＥｖｅｎｔＳｔｒｅａｍ／＠ｖａｌｕｅ）属性によりイベントの種類を定義し、
ＥｖｅｎｔＳｔｒｅａｍ／Ｅｖｅｎｔ要素のコンテンツパートにイベントデータ、すなわち、イベントを実行するために必要となる実体データ、メタデータ、コマンド等のデータや、そのアクセス情報等を付加することができる。
【０１４２】
なお、ＭＰＤ／Ｐｅｒｉｏｄ／ＥｖｅｎｔＳｔｒｅａｍ／Ｅｖｅｎｔ以下のデータ要素として格納される「イベントデータ」のフォーマット（何を格納すべきか）については、「ＥｖｅｎｔＳｔｒｅａｍ／＠ｓｃｈｅｍｅＩｄＵｒｉ」属性の値（図９の例では（ｕｒｎ：ｘｘｘ）によって特定（定義）される。
なお、この、ＭＰＤ適用イベント通知方式（ＭＰＤ  Ｅｖｅｎｔ）は、ＭＰＤの送出前に、ＭＰＤ内に記述されるピリオドの内容が確定できる場合にのみ適用可能である。
【０１４３】
図１０は、受信装置において実行するＭＰＤの解析処理（パース）の手順を説明する図である。
図１０には、以下の各図を示している。
（１）ＭＰＤ
（２）ピリオド単位情報
（３）リプレゼンテーション単位情報
（４）セグメント単位情報
【０１４４】
ＡＶセグメントを受信してＡＶコンテンツの再生処理を実行する受信装置（クライアント）は、ＡＶセグメント受信前に予め受信するシグナリングデータに含まれるＭＰＤを取得し、自装置において再生するデータに対応する情報をＭＰＤから取得する。
【０１４５】
まず、図１０に示す（１）ＭＰＤから、ＡＶセグメント再生時間に相当する特定のピリオドの（情報を記録した（２）ピリオド単位情報を選択する。
さらに、自装置（クライアント）において再生するデータの種類に対応したリプレゼンテーション単位情報を選択し、さらに、再生対象セグメントに対応する（４）セグメント単位情報を選択する。
この（４）セグメント単位情報に記録されたデータを参照して、再生対象となるＡＶセグメントの取得や、ＡＶセグメント再生に必要となる様々な情報を取得することができる。
【０１４６】
受信装置（クライアント）は、受信したＭＰＤのセグメント単位情報にイベント情報が記録されている場合、その記録されたイベント情報に従って指定イベントのアクティベート（実行、開始等のイベント活性化処理）等を行うことになる。
【０１４７】
図１１を参照して、イベント情報を記録したＭＰＤの生成（または取得）と出力を実行するイベント挿入実行装置３１０と、イベント記録ＭＰＤを受領してＭＰＤ記録イベント情報に応じた処理を実行するイベント実行装置３２０の構成と処理例について説明する。
【０１４８】
図１１には、左側に、イベント情報を記録したＭＰＤの生成（または取得）と出力を実行するイベント挿入実行装置３１０を示している。
また、図１１の右側には、イベント情報を記録したＭＰＤを入力してＭＰＤに記録されたイベント情報に応じた処理（イベントアクティベート）を実行するイベント実行装置３２０を示している。
【０１４９】
イベント挿入実行装置３１０は、具体的には、ＭＰＤ等のシグナリングデータや、ＡＶセグメントを送信する放送サーバ２１、データ配信サーバ２２、あるいは、受信装置においてＭＰＤ等のシグナリングデータや、ＡＶセグメントを受信して、受信装置の再生制御部１３１に出力する受信装置のミドルウェア１１０（図５、図６に示すミドルウェア１１０）である。
【０１５０】
また、図１１の右側に示すイベント実行装置３２０は、具体的には、ＭＰＤ等のシグナリングデータや、ＡＶセグメントを入力してコンテンツ再生処理を実行する受信装置の再生制御部（図５、図６に示す再生制御部１３１，１５１）である。
【０１５１】
イベント挿入実行装置３１０の実行する処理について説明する。
イベント挿入実行装置３１０は、データ出力部（ＤＡＳＨサーバ）３１１、イベント処理部（イベントサーバ）３１２を有する。
なお、これらのサーバ機能は、ＭＰＤ等のシグナリングデータや、ＡＶセグメントを送信する放送サーバ２１、データ配信サーバ２２、さらに、受信装置のミドルウェア１１０（図５、図６に示すミドルウェア１１０）が有する機能である。
以下、イベント挿入実行装置３１０の実行する処理について、処理ステップごとに説明する。
【０１５２】
（ステップＳ１１）
まず、イベント挿入実行装置３１０のデータ出力部（ＤＡＳＨサーバ）３１１は、ステップＳ１１において、シグナリングデータとしてのＭＰＤ、および再生コンテンツを構成するＡＶデータを含むセグメントを生成、または取得する。
【０１５３】
イベント挿入実行装置３１０が放送サーバ２１、データ配信サーバ２２である場合は、ＭＰＤ、セグメントを生成または取得する処理を行なう。
イベント挿入実行装置３１０が受信装置のミドルウェア１１０（図５、図６に示すミドルウェア１１０）である場合は、ＭＰＤ、セグメントを受信データから取得する処理を行なう。
【０１５４】
（ステップＳ１２）
次に、イベント挿入実行装置３１０のイベント処理部（イベントサーバ）３１２は、ステップＳ１２において、イベント情報を生成または、取得する。
イベント情報とは、例えば、番組表の変更や、放送コンテンツのデータ態様の変更、受信装置における放送コンテンツの再生時に実行すベき処理など、受信装置に対して何らかの処理の実行を通知あるいは要求するための情報である。
【０１５５】
イベント挿入実行装置３１０が放送サーバ２１、データ配信サーバ２２である場合は、イベント情報を生成または取得する処理を行なう。
イベント挿入実行装置３１０が受信装置のミドルウェア１１０（図５、図６に示すミドルウェア１１０）である場合は、イベント情報を受信データから取得する処理を行なう。
【０１５６】
（ステップＳ１３）
次に、イベント挿入実行装置３１０のデータ出力部（ＤＡＳＨサーバ）３１１は、ステップＳ１３において、シグナリングデータとしてのＭＰＤに対して、イベント情報の挿入を行う。
この処理によって、先に図９を参照して説明したイベント情報記録ＭＰＤが生成される。
【０１５７】
図９に示すイベント情報記録ＭＰＤには、先に説明したように、
イベントの種類、内容や、イベントのアクティベート（活性化）時刻、継続時間情報等が記録されている。
受信装置は、このＭＰＤに記録されたイベント情報に従って、指定されたイベントを指定時間にアクティベート（例えば実行）し、指定継続時間、継続させる処理などを行うことが可能となる。
【０１５８】
（ステップＳ１４）
次に、イベント挿入実行装置３１０のデータ出力部（ＤＡＳＨサーバ）３１１は、ステップＳ１４において、シグナリングデータとしてのＭＰＤにイベント情報を記録したイベント情報記録ＭＰＤを送信（出力）する。
【０１５９】
イベント挿入実行装置３１０が放送サーバ２１、データ配信サーバ２２である場合は、イベント情報記録ＭＰＤを、放送波またはネットワークを介して送信する。
イベント挿入実行装置３１０が受信装置のミドルウェア１１０（図５、図６に示すミドルウェア１１０）である場合は、イベント情報記録ＭＰＤを、プロキシサーバ、あるいは再生制御部に出力する。
【０１６０】
（ステップＳ１５〜Ｓ１６）
次に、イベント挿入実行装置３１０のデータ出力部（ＤＡＳＨサーバ）３１１は、ステップＳ１５〜Ｓ１６において、ＡＶコンテンツ等を格納したセグメントを送信（出力）する。
セグメント送信は、ステップＳ１６以降、継続的に実行される。
【０１６１】
イベント挿入実行装置３１０が放送サーバ２１、データ配信サーバ２２である場合は、セグメントを、放送波またはネットワークを介して送信する。
イベント挿入実行装置３１０が受信装置のミドルウェア１１０（図５、図６に示すミドルウェア１１０）である場合は、セグメントを、プロキシサーバ、あるいは再生制御部に出力する。
【０１６２】
次に、図１１の右側に示すイベント実行装置３２０の実行する処理について説明する。
イベント実行装置３２０は、具体的には、ＭＰＤ等のシグナリングデータや、ＡＶセグメントを入力してコンテンツ再生処理を実行する受信装置の再生制御部（図５、図６に示す再生制御部１３１，１５１）である。
【０１６３】
図１１に示すイベント実行装置３２０の実行する処理は、受信装置の再生制御部１３１，１５１において実行する処理である。
なお、図１１においては、再生制御部を、実行する処理の種類に応じた処理種類単位で分離した構成として示している。
具体的には、イベント対応処理実行部としての再生制御部（イベントクライアント）３２１と、ＭＰＤやＡＶセグメントを適用したコンテンツ再生処理を実行する再生制御部（ＤＡＳＨクライアント）３２２、これら２つの処理部を示している。
【０１６４】
（ステップＳ２１）
まず、イベント実行装置３２０の再生制御部（ＤＡＳＨクライアント）３２２は、ステップＳ２１において、イベント挿入実行装置３１０に対してシグナリングデータとしてのＭＰＤの取得要求を行う。
【０１６５】
（ステップＳ２２）
次に、イベント実行装置３２０の再生制御部（ＤＡＳＨクライアント）３２２は、ステップＳ２２において、イベント挿入実行装置３１０から取得したＭＰＤからイベント情報を取得する。
【０１６６】
なお、ここで取得したＭＰＤは、イベント情報記録ＭＰＤ、すなわち、図９に示すイベント情報ＭＰＤであるものとする。
イベント情報記録ＭＰＤには、イベントの種類、内容や、イベントのアクティベート（例えば実行、停止等の活性化）時刻、継続時間情報等が記録されている。
受信装置は、このＭＰＤに記録されたイベント情報に従って、指定されたイベントを指定時間にアクティベート（例えば実行）し、指定継続時間、継続させる処理などを行うことが可能となる。
【０１６７】
（ステップＳ２３）
次に、イベント実行装置３２０の再生制御部（イベントクライアント）３２１は、ステップＳ２３において、ＭＰＤから取得したイベント情報に従って、イベント適用のスケジューリング処理を行なう。
前述したように、イベント情報記録ＭＰＤには、イベントの種類、内容や、イベントのアクティベート（活性化）時刻、継続時間情報等が記録されており、イベント実行装置３２０の再生制御部（イベントクライアント）３２１は、これらの情報を参照して、イベント実行のスケジューリング処理を行なう。
【０１６８】
（ステップＳ２４）
次に、イベント実行装置３２０の再生制御部（ＤＡＳＨクライアント）３２２は、ステップＳ２４において、イベント挿入実行装置３１０に対してセグメントの取得要求を行う。
【０１６９】
（ステップＳ２５）
次に、イベント実行装置３２０の再生制御部（ＤＡＳＨクライアント）３２２は、ステップＳ２５において、ステップＳ２４で取得したセグメントからＡＶコンテンツ等を取得し再生処理を実行する。
【０１７０】
（ステップＳ２６）
次に、イベント実行装置３２０の再生制御部（イベントクライアント）３２１は、ステップＳ２６において、ＭＰＤから取得したイベント情報に従ってスケジューリングされたイベントの適用処理、すなわちイベントアクティベート（イベント実行、開始等）処理を行なう。
【０１７１】
（ステップＳ２７〜Ｓ２９）
ステップＳ２７〜Ｓ２９の処理は、ステップＳ２４〜Ｓ２６の処理と同様の処理である。
この一連の処理は、継続的に実行されることになる。
【０１７２】
このように、受信装置（クライアント）は、ＡＶセグメントを受信し再生する処理に併せて、ＭＰＤに記録されたイベント情報に従って、様々なイベントを実行することが可能となる。
【０１７３】
［６−２．セグメント適用イベント通知方式（＝Ｉｎ−ｂａｎｄ  Ｅｖｅｎｔ  Ｓｉｇｎａｌｉｎｇ）について］
次に、ＤＡＳＨ規格において規定されたもう１つのイベント通知方式であるセグメント適用イベント通知方式（＝Ｉｎ−ｂａｎｄ  Ｅｖｅｎｔ  Ｓｉｇｎａｌｉｎｇ）について説明する。
【０１７４】
セグメント適用イベント通知方式（＝Ｉｎ−ｂａｎｄ  Ｅｖｅｎｔ  Ｓｉｇｎａｌｉｎｇ）は、ＡＶコンテンツ等を格納したセグメント（ＤＡＳＨセグメント）内にイベント情報を記録して受信装置に提供する方式である。
【０１７５】
図１に示す送信装置２０は、前述したように、コンテンツデータを符号化し、符号化データおよび符号化データのメタデータを含むデータファイルを生成し送信する。符号化処理は、例えばＭＰＥＧにおいて規定されるＭＰ４ファイルフォーマットに従って行われる。なお、送信装置２０がＭＰ４形式のデータファイルを生成する場合の符号化データのファイルは「ｍｄａｔ」、メタデータは「ｍｏｏｖ」や「ｍｏｏｆ」等と呼ばれる。
【０１７６】
送信装置２０が提供するコンテンツは、例えば音楽データや、映画、テレビ番組、ビデオ、写真、文書、絵画および図表などの映像データや、ゲームおよびソフトウェアなど、様々なデータである。
【０１７７】
図１２を参照して、ＤＡＳＨ規格に従ってコンテンツストリーム配信を行う場合に利用可能なＤＡＳＨセグメントの構成例について説明する。ＤＡＳＨセグメントは、
（ａ）初期化セグメント（Ｉｎｉｔｉａｌｉｚａｔｉｏｎ  Ｓｅｇｍｅｎｔ）、
（ｂ）メディアセグメント（Ｍｅｄｉａ  Ｓｅｇｍｅｎｔ）（＝ＡＶセグメント）、
これらの２種類に分けられる。
【０１７８】
（ａ）初期化セグメント（Ｉｎｉｔｉａｌｉｚａｔｉｏｎ  Ｓｅｇｍｅｎｔ）は、受信装置３０におけるデコーダの設定等、コンテンツ再生を実行するために必要となる設定情報等の初期化データを格納したセグメントである。
（ｂ）メディアセグメント（Ｍｅｄｉａ  Ｓｅｇｍｅｎｔ）（＝ＡＶセグメント）は、再生対象となる符号化コンテンツ（ＡＶコンテンツ）を格納したセグメントである。
【０１７９】
図１２に示すように（ａ）初期化セグメントは、以下の各情報を含む。
（ａ１）セグメントのファイルタイプ情報等からなるヘッダ情報（ｄａｓｈ）、
（ａ２）メディアセグメントによって送信する符号化コンテンツであるメディアデータ（ｍｄａｔ）のコーデック（符号化態様）情報等の初期化情報を含むメタデータ（ｍｏｏｖ）、
【０１８０】
一方、（ｂ）メディアセグメントは、図１２に示すように以下の各情報を含む。
（ｂ１）セグメントのファイルタイプ情報等からなるヘッダ情報（ｍｓｄｈ）、
（ｂ２）メディアセグメントに格納された複数のサブセグメント（Ｓｕｂ−Ｓｅｇｍｅｎｔ）の境界情報や、メディアセグメントに格納された符号化コンテンツであるメディアデータ（ｍｄａｔ）のランダムアクセスポイント等を示すアクセス情報（ｓｉｄｘ）、
（ｂ３）複数のサブセグメント（Ｓｕｂ−Ｓｅｇｍｅｎｔ）、
【０１８１】
また、複数のサブセグメント（Ｓｕｂ−Ｓｅｇｍｅｎｔ）は１つまたは複数のフラグメント（Ｆｒａｇｍｅｎｔ）で構成される。
フラグメント（Ｆｒａｇｍｅｎｔ）は、以下の各データを含む。
再生対象となる符号化コンテンツであるメディアデータ（ｍｄａｔ）、
メディアデータ（ｍｄａｔ）に対応するメタデータ（ｍｏｏｆ）、
メディアデータ（ｍｄａｔ）に対応する各種情報（制御情報、管理情報、属性情報など）。
【０１８２】
なお、メディアデータ（ｍｄａｔ）、メタデータ（ｍｏｏｆ）、その他の各種情報（制御情報、管理情報、属性情報など）は、ＭＰ４フォーマットにおいて定義されるボックスに個別に格納される。
ｍｄａｔボックスにはＡＶデータが格納される。
ｍｏｏｆボックスにはメタデータが格納される。
その他の各種情報も、それぞれの情報に応じて定義されるボックスに格納される。
【０１８３】
イベント情報は、各種情報の一部としてイベント情報を格納するためのボックスとしてＭＰ４フォーマットで定義されたイベント情報格納ボックス［ｅｍｓｇボックス］に格納される。
【０１８４】
セグメント適用イベント通知方式（＝Ｉｎ−ｂａｎｄ  Ｅｖｅｎｔ  Ｓｉｇｎａｌｉｎｇ）において利用されるＭＰ４フォーマットデータ内のイベント情報格納ボックス（ｅｍｓｇ）のデータ構成例について、図１３を参照して説明する。
図１３には、イベント識別子１，２の２つのイベント情報を個別に格納した２つのイベント情報格納ボックス（ｅｍｓｇ）のデータを示している。
【０１８５】
イベント情報格納ボックス（ｅｍｓｇ）は、例えば以下の記述を有する。
ｂｏｘ＿ｔｙｐｅ＝'ｅｍｓｇ'
ｓｃｈｅｍｅ＿ｉｄ＿ｕｒｉ＝"ｕｒｎ：ｘｘｘ"
ｖａｌｕｅ＝０
ｔｉｍｅｓｃａｌｅ＝１０００
ｐｒｅｓｅｎｔａｔｉｏｎ＿ｔｉｍｅ＿ｄｅｌｔａ＝０
ｅｖｅｎｔ＿ｄｕｒａｔｉｏｎ  ＝  ０ｘＦＦＦＦ
ｉｄ＝１
ｍｅｓｓａｇｅ＿ｄａｔａ［］＝イベントデータ−１
【０１８６】
上記のイベント情報格納ボックス（ｅｍｓｇ）のデータ内容について説明する。
ｂｏｘ＿ｔｙｐｅ＝'ｅｍｓｇ'
このデータ記録記録領域はボックスタイプ記録領域である。このボックス（ＭＰ４において規定されるデータ格納ボックス）が、イベント情報格納ボックス（ｅｍｓｇ）であることを記述している。
【０１８７】
ｓｃｈｅｍｅ＿ｉｄ＿ｕｒｉ＝"ｕｒｎ：ｘｘｘ"
ｖａｌｕｅ＝０
このデータ記録記録領域は、イベント種類等を示すイベント指定情報の記録領域である。
「ｓｃｈｅｍｅ＿ｉｄ＿ｕｒｉ＝"ｕｒｎ：ｘｘｘ"」と、オプショナルな「ｖａｌｕｅ」によりイベントの種類等を定義する。
【０１８８】
ｔｉｍｅｓｃａｌｅ＝１０００
このデータ記録記録領域は、タイムスケール情報の記録領域である。
「ｔｉｍｅｓｃａｌｅ＝'１０００'」は、以下に記録されるプレゼンテーションタイム（ｐｒｅｓｅｎｔａｔｉｏｎＴｉｍｅ）の単位時間は１／１０００秒であることを示す。
【０１８９】
ｐｒｅｓｅｎｔａｔｉｏｎ＿ｔｉｍｅ＿ｄｅｌｔａ＝０
ｅｖｅｎｔ＿ｄｕｒａｔｉｏｎ＝０ｘＦＦＦＦ
これらのデータ記録記録領域は、イベントのアクティベート（実行開始等）時間や継続時間等のイベントスケジューリングデータの記録領域である。イベント指定情報によって特定されるイベントのアクティベート（活性化／実行）時刻＝０で、時刻＝０ｘＦＦＦＦまで継続することを指定している。なお、０ｘＦＦＦＦは終了時間を定義していないことを示し、このイベント情報格納ボックスの設定されたセグメントに対応するＡＶコンテンツの再生終了まで、イベントを継続してもしなくてもよいという指定であることを意味する。
【０１９０】
ｉｄ＝１
このデータ記録領域は、イベント識別情報記録領域である。
【０１９１】
ｍｅｓｓａｇｅ＿ｄａｔａ［］＝イベントデータ−１
このデータ記録領域は、イベントデータの記録領域である。
イベントデータは、イベントを実行するために必要となる実体データ、メタデータ、コマンド等のデータや、そのアクセス情報等によって構成される。
【０１９２】
このように、セグメント適用イベント通知方式（＝Ｉｎ−ｂａｎｄ  Ｅｖｅｎｔ  Ｓｉｇｎａｌｉｎｇ）では、セグメントストリームの中（ｉｎ−ｓｔｒｅａｍ）にイベント情報を記録して転送することができる。
【０１９３】
セグメント適用イベント通知方式（＝Ｉｎ−ｂａｎｄ  Ｅｖｅｎｔ  Ｓｉｇｎａｌｉｎｇ）では、「ｓｃｈｅｍｅ＿ｉｄ＿ｕｒｉ」フィールドと、オプショナルな「ｖａｌｕｅ」フィールドにイベントの種類を定義可能である。
また、「ｍｅｓｓａｇｅ＿ｄａｔａ」フィールドにイベントデータ、すなわち、イベントを実行するために必要となる実体データ、メタデータ、コマンド等のデータや、そのアクセス情報等を付加することができる。
【０１９４】
次に、図１４を参照して、イベント情報を記録したセグメントの生成（または取得）と出力を実行するイベント挿入実行装置３１０と、イベント記録情報セグメントを受領してセグメントに記録されたイベント情報に応じた処理を実行するイベント実行装置３２０の構成と処理例について説明する。
【０１９５】
図１４には、左側に、イベント情報を記録したセグメントの生成（または取得）と出力を実行するイベント挿入実行装置３１０を示している。
また、図１４の右側には、イベント情報を記録したセグメントを入力してセグメントに記録されたイベント情報に応じた処理（イベントアクティベート）を実行するイベント実行装置３２０を示している。
【０１９６】
イベント挿入実行装置３１０は、具体的には、ＭＰＤ等のシグナリングデータや、ＡＶセグメントを送信する放送サーバ２１、データ配信サーバ２２、あるいは、受信装置においてＭＰＤ等のシグナリングデータや、ＡＶセグメントを受信して、受信装置の再生制御部１３１に出力する受信装置のミドルウェア１１０（図５、図６に示すミドルウェア１１０）である。
【０１９７】
また、図１４の右側に示すイベント実行装置３２０は、具体的には、ＭＰＤ等のシグナリングデータや、ＡＶセグメントを入力してコンテンツ再生処理を実行する受信装置の再生制御部（図５、図６に示す再生制御部１３１，１５１）である。
【０１９８】
イベント挿入実行装置３１０の実行する処理について説明する。
イベント挿入実行装置３１０は、データ出力部（ＤＡＳＨサーバ）３１１、イベント処理部（イベントサーバ）３１２を有する。
なお、これらのサーバ機能は、ＭＰＤ等のシグナリングデータや、ＡＶセグメントを送信する放送サーバ２１、データ配信サーバ２２、さらに、受信装置のミドルウェア１１０（図５、図６に示すミドルウェア１１０）が有する機能である。
以下、イベント挿入実行装置３１０の実行する処理について、処理ステップごとに説明する。
【０１９９】
（ステップＳ３１）
まず、イベント挿入実行装置３１０のデータ出力部（ＤＡＳＨサーバ）３１１は、ステップＳ３１において、シグナリングデータとしてのＭＰＤ、および再生コンテンツを構成するＡＶデータを含むセグメントを生成、または取得する。
【０２００】
イベント挿入実行装置３１０が放送サーバ２１、データ配信サーバ２２である場合は、ＭＰＤ、セグメントを生成または取得する処理を行なう。
イベント挿入実行装置３１０が受信装置のミドルウェア１１０（図５、図６に示すミドルウェア１１０）である場合は、ＭＰＤ、セグメントを受信データから取得する処理を行なう。
【０２０１】
（ステップＳ３２）
次に、イベント挿入実行装置３１０のイベント処理部（イベントサーバ）３１２は、ステップＳ３２において、イベント情報を生成または、取得する。
イベント情報とは、例えば、番組表の変更や、放送コンテンツのデータ態様の変更、受信装置における放送コンテンツの再生時に実行すベき処理など、受信装置に対して何らかの処理の実行を通知あるいは要求するための情報である。
【０２０２】
イベント挿入実行装置３１０が放送サーバ２１、データ配信サーバ２２である場合は、イベント情報を生成または取得する処理を行なう。
イベント挿入実行装置３１０が受信装置のミドルウェア１１０（図５、図６に示すミドルウェア１１０）である場合は、イベント情報を受信データから取得する処理を行なう。
【０２０３】
（ステップＳ３３）
次に、イベント挿入実行装置３１０のデータ出力部（ＤＡＳＨサーバ）３１１は、ステップＳ３３において、セグメントに対して、イベント情報の挿入を行う。
この処理によって、先に図１３を参照して説明したＭＰ４フォーマットにおいて規定されるイベント情報記録ボックスであるｅｍｓｇボックスを含むセグメントが生成される。
【０２０４】
図１３に示すイベント情報記録ボックス（ｅｍｓｇ）ｉは、先に説明したように、
イベントの種類、内容や、イベントのアクティベート（活性化）時刻、継続時間情報等が記録されている。
受信装置は、このセグメント内のｅｍｓｇボックスに記録されたイベント情報に従って、指定されたイベントを指定時間にアクティベート（例えば実行）し、指定継続時間、継続させる処理などを行うことが可能となる。
【０２０５】
（ステップＳ３４）
次に、イベント挿入実行装置３１０のデータ出力部（ＤＡＳＨサーバ）３１１は、ステップＳ３４において、シグナリングデータとしてのＭＰＤを送信（出力）する。
【０２０６】
イベント挿入実行装置３１０が放送サーバ２１、データ配信サーバ２２である場合は、ＭＰＤを、放送波またはネットワークを介して送信する。
イベント挿入実行装置３１０が受信装置のミドルウェア１１０（図５、図６に示すミドルウェア１１０）である場合は、ＭＰＤをプロキシサーバ、あるいは再生制御部に出力する。
【０２０７】
（ステップＳ３５〜Ｓ３６）
次に、イベント挿入実行装置３１０のデータ出力部（ＤＡＳＨサーバ）３１１は、ステップＳ３５〜Ｓ３６において、ＡＶコンテンツ等を格納したセグメントを送信（出力）する。
送信するセグメントは、ＭＰ４フォーマットにおいて規定されるイベント情報記録ボックス（ｅｍｓｇ）を含むセグメントである。
セグメント送信は、ステップＳ３６以降、継続的に実行される。
【０２０８】
イベント挿入実行装置３１０が放送サーバ２１、データ配信サーバ２２である場合は、セグメントを、放送波またはネットワークを介して送信する。
イベント挿入実行装置３１０が受信装置のミドルウェア１１０（図５、図６に示すミドルウェア１１０）である場合は、セグメントを、プロキシサーバ、あるいは再生制御部に出力する。
【０２０９】
次に、図１４の右側に示すイベント実行装置３２０の実行する処理について説明する。
イベント実行装置３２０は、具体的には、ＭＰＤ等のシグナリングデータや、ＡＶセグメントを入力してコンテンツ再生処理を実行する受信装置の再生制御部（図５、図６に示す再生制御部１３１，１５１）である。
【０２１０】
図１４に示すイベント実行装置３２０の実行する処理は、受信装置の再生制御部１３１，１５１において実行する処理である。
なお、図１４においては、再生制御部を、実行する処理の種類に応じて分離して示している。すなわち、イベント対応処理実行部としての再生制御部（イベントクライアント）３２１と、ＭＰＤやＡＶセグメントを適用したコンテンツ再生処理を実行する再生制御部（ＤＡＳＨクライアント）３２２の２つの処理部に区分して示している。
【０２１１】
（ステップＳ４１）
まず、イベント実行装置３２０の再生制御部（ＤＡＳＨクライアント）３２２は、ステップＳ４１において、イベント挿入実行装置３１０に対してシグナリングデータとしてのＭＰＤの取得要求を行う。
【０２１２】
（ステップＳ４２）
次に、イベント実行装置３２０の再生制御部（ＤＡＳＨクライアント）３２２は、ステップＳ４４において、イベント挿入実行装置３１０に対してセグメントの取得要求を行う。
【０２１３】
（ステップＳ４３）
次に、イベント実行装置３２０の再生制御部（ＤＡＳＨクライアント）３２２は、ステップＳ４２において、イベント挿入実行装置３１０から取得したセグメントからイベント情報を取得する。
【０２１４】
なお、ここで取得したセグメントは、イベント情報記録ボックス（ｅｍｓｇ）を有する。すなわち、図１３に示すイベント情報を記録したイベント情報記録ボックス（ｅｍｓｇ）を含むセグメント（イベント情報記録セグメント）であるものとする。
【０２１５】
イベント情報記録セグメントには、イベントの種類、内容や、イベントのアクティベート（活性化）時刻、継続時間情報等が記録されている。
受信装置は、このセグメントに記録されたイベント情報に従って、指定されたイベントを指定時間にアクティベート（例えば実行）し、指定継続時間、継続させる処理などを行うことが可能となる。
【０２１６】
（ステップＳ４４）
次に、イベント実行装置３２０の再生制御部（イベントクライアント）３２１は、ステップＳ４４において、セグメントから取得したイベント情報に従ってスケジューリングされたイベントの適用処理、すなわちイベントアクティベート（イベント実行、開始等）処理を行なう。
【０２１７】
（ステップＳ４５）
次に、イベント実行装置３２０の再生制御部（ＤＡＳＨクライアント）３２２は、ステップＳ４５において、ステップＳ４２で取得したセグメントからＡＶコンテンツ等を取得し再生処理を実行する。
【０２１８】
（ステップＳ４６〜Ｓ４９）
ステップＳ４６〜Ｓ４９の処理は、ステップＳ４２〜Ｓ４５の処理と同様の処理である。
この一連の処理は、セグメント単位の処理として継続的に実行されることになる。
【０２１９】
このように、受信装置（クライアント）は、ＡＶセグメントを受信し再生する処理に併せて、セグメント内のイベント情報記録ボックス（ｅｍｓｇ）に記録されたイベント情報に従って、様々なイベントを実行することが可能となる。
【０２２０】
［７．シグナリングデータ更新情報の通知処理について］
次に、上述したイベント通知機構を利用してシグナリングデータ更新情報を通知する構成について説明する。
【０２２１】
［７−１．イベント通知機構を利用したシグナリングデータ更新情報通知構成の概要］
先に図５、図６を参照して説明したチューナ実装受信装置（クライアントＡ）３０と、チューナ非実装受信装置（クライアントＢ）４０は、いずれも、シグナリングデータ処理部１４０，１６０を有する。
シグナリングデータ処理部１４０，１６０は、送信装置２０（放送サーバ２１、データ配信サーバ２２）が送信するシグナリングデータに基づく処理を実行する。
先に図２を参照して説明したように、シグナリングデータ５０は、番組表等の番組予定情報や、番組取得に必要となるアドレス情報（ＵＲＬ（Ｕｎｉｆｏｒｍ  Ｒｅｓｏｕｒｃｅ  Ｌｏｃａｔｏｒ）等）、さらにコンテンツの再生処理に必要な情報、例えばコーデック情報（符号化方式など）などからなる案内情報、アプリケーション制御情報等の様々な制御情報によって構成される。
【０２２２】
シグナリングデータ処理部（ＳＬＳ  Ｓｉｇｎａｌｉｎｇ  Ｐａｒｓｅｒ＆Ｖｉｅｗｅｒ）１４０，１６０は、シグナリングデータ（ＳＬＳ：Ｓｅｒｖｉｃｅ  Ｌａｙｅｒ  Ｓｉｇｎａｌｉｎｇ）を取得して取得したシグナリングデータに基づく処理を実行する。
シグナリングデータ処理部１４０，１６０は、シグナリングデータに基づく様々な処理を行なう。例えば、番組表等の番組予定情報や、番組取得に必要となるアドレス情報（ＵＲＬ）、コーデック情報（符号化方式など）を再生制御部１３１に提供する処理や、シグナリングデータの表示、例えば番組表の表示処理などを行う。
【０２２３】
先に説明したように、これらの番組スケジュール（番組表）や、アドレス情報、コーデック情報等のシグナリングデータは、随時更新される可能性があり、受信装置では、最新のシグナリングデータを利用した処理を行なう必要がある。
【０２２４】
シグナリングデータ処理部１４０，１６０が、最新のシグナリングデータに従った処理を実行するためには、シグナリングデータ処理部１４０，１６０に対して、タイムリにシグナリングデータが更新されたことを通知することが必要である。
この通知情報が、図６に示すシグナリングデータ更新情報（ＳＬＳ−Ｕｐｄａｔｅ  Ｍｅｓｓａｇｅ）である。
【０２２５】
本開示の構成においては、シグナリングデータ更新情報をセグメント内に記録する。再生制御部１３１，１５１はセグメントにシグナリングデータ更新情報が含まれている場合、これをシグナリングデータ処理部１４０，１６０に出力する処理を実行する。
【０２２６】
シグナリングデータ更新情報は、上述したイベント通知機構を利用して送信、出力される。以下、このイベント通知機構を利用したシグナリングデータ更新情報の通知構成の詳細について説明する。
【０２２７】
上述したように、ＤＡＳＨ規格では、イベント通知機構として以下の２種類のタイプのイベント通知方式が規定されている。
（ａ）ＭＰＤ適用イベント通知方式（＝ＭＰＤ  Ｅｖｅｎｔ）、
（ｂ）セグメント適用イベント通知方式（＝Ｉｎ−ｂａｎｄ  Ｅｖｅｎｔ  Ｓｉｇｎａｌｉｎｇ）
これらの２種類のイベント通知方式が規定されている。
【０２２８】
（ａ）ＭＰＤ適用イベント通知方式（＝ＭＰＤ  Ｅｖｅｎｔ）を用いてイベント通知を行う場合の具体的なデータ構成例は図９を参照して説明した通りである。
（ｂ）セグメント適用イベント通知方式（＝Ｉｎ−ｂａｎｄ  Ｅｖｅｎｔ  Ｓｉｇｎａｌｉｎｇ）を用いてイベント通知を行う場合の具体的なデータ構成例は図１３を参照して説明した通りである。
【０２２９】
本開示の構成においては、
（ｂ）セグメント適用イベント通知方式（＝Ｉｎ−ｂａｎｄ  Ｅｖｅｎｔ  Ｓｉｇｎａｌｉｎｇ）を用いたイベント通知方式を利用して、シグナリングデータ更新情報を通知する。
このセグメント適用イベント通知方式を用いたイベント通知メッセージ内には、イベントの種類を特定するための情報としてイベント種類情報が記録される。
図１３に示すセグメント内のイベント情報格納ボックス（ｅｍｓｇ）の記述では、
ｓｃｈｅｍｅ＿ｉｄ＿ｕｒｉ＝"ｕｒｎ：ｘｘｘ"
このデータ記録記録領域が、イベント種類等を示すイベント指定情報の記録領域である。
【０２３０】
このイベント種類の１つとして、シグナリングデータ更新情報（ＳＬＳ−Ｕｐｄａｔｅ  Ｍｅｓｓａｇｅ）を定義する。
すなわち、セグメントを用いて実行するイベント通知において通知するイベントの種類が、シグナリングデータ更新情報（ＳＬＳ−Ｕｐｄａｔｅ  Ｍｅｓｓａｇｅ）であることを示すイベント種類を定義する。
具体的には、例えば、
ｓｃｈｅｍｅＩｄＵｒｉ＝ｕｒｎ：ａｔｓｃ：ＳＬＳＵｐｄａｔｅ
上記のｓｃｈｅｍｅＩｄＵｒｉを、シグナリングデータ更新情報（ＳＬＳ−Ｕｐｄａｔｅ  Ｍｅｓｓａｇｅ）を示すイベント種類識別子とする。
【０２３１】
なお、上記の識別子は一例であり、受信装置が、セグメントから抽出したイベント情報が、シグナリングデータ更新情報に関するイベント情報であることが判別できるデータ（文字列やコード）であれば、様々な識別子が利用可能である。
【０２３２】
さらに、図１３を参照して説明した以下のイベント通知方式、すなわち、
（ｂ）セグメント適用イベント通知方式（＝Ｉｎ−ｂａｎｄ  Ｅｖｅｎｔ  Ｓｉｇｎａｌｉｎｇ）
このイベント通知方式においてはイベントデータが格納される。
イベントデータは、イベントを実行するために必要となる実体データ、メタデータ、コマンド等のデータや、そのアクセス情報等によって構成される。
【０２３３】
図１３に示すセグメント内のイベント情報格納ボックス（ｅｍｓｇ）の記述では、例えば、
「ｍｅｓｓａｇｅ＿ｄａｔａ［］＝イベントデータ−１」に、イベントデータが記録される。
【０２３４】
図１３に示すイベント通知メッセージを利用してシグナリングデータ更新情報［ＳＬＳ（Ｓｅｒｖｉｃｅ  Ｌａｙｅｒ  Ｓｉｇｎａｌｉｎｇ）Ｕｐｄａｔｅ）を通知する場合に、このイベント通知メッセージに記録するイベントデータの例について、図１５を参照して説明する。
【０２３５】
図１５には、イベント通知メッセージ内にイベントデータとして格納するシグナリングデータ更新情報の以下の２つの構成例を示している。
（１）シグナリングデータ（ＳＬＳ）本体非格納型シグナリングデータ更新情報（ＳＬＳ  Ｕｐｄａｔｅ  ｍｅｓｓａｇｅ）
（２）シグナリングデータ（ＳＬＳ）本体格納型シグナリングデータ更新情報（ＳＬＳ  Ｕｐｄａｔｅ  ｍｅｓｓａｇｅ）
【０２３６】
（１）シグナリングデータ（ＳＬＳ）本体非格納型シグナリングデータ更新情報（ＳＬＳ  Ｕｐｄａｔｅ  ｍｅｓｓａｇｅ）は、シグナリングデータ（ＳＬＳ）本体は格納しないタイプであり、シグナリングデータ（ＳＬＳ）本体を取得するためのアクセス情報を格納している。
（２）シグナリングデータ（ＳＬＳ）本体格納型シグナリングデータ更新情報（ＳＬＳ  Ｕｐｄａｔｅ  ｍｅｓｓａｇｅ）は、シグナリングデータ（ＳＬＳ）本体を格納したタイプである。
【０２３７】
（１）シグナリングデータ（ＳＬＳ）本体非格納型シグナリングデータ更新情報（ＳＬＳ  Ｕｐｄａｔｅ  ｍｅｓｓａｇｅ）の構成要素は以下の通りである。
（１ａ）シグナリングデータ（ＳＬＳ）識別子とバージョン
【０２３８】
（２）シグナリングデータ（ＳＬＳ）本体格納型シグナリングデータ更新情報（ＳＬＳ  Ｕｐｄａｔｅ  ｍｅｓｓａｇｅ）の構成要素は以下の通りである。
（２ａ）シグナリングデータ（ＳＬＳ）識別子とバージョン
（２ｂ）シグナリングデータ（ＳＬＳ）本体
【０２３９】
以下、これらの格納データについて説明する。
【０２４０】
（１ａ）（２ａ）に含まれるシグナリングデータ（ＳＬＳ）識別子は、更新後のシグナリングデータを取得するためのｕｒｌ等の識別子である。
バージョンは、更新後のシグナリングデータのバージョン情報である。
【０２４１】
なお、シグナリングデータの識別子がｕｒｌで指定される場合、放送で取得する場合と、ネット経由で取得する場合がある。ネット経由の場合は、通常のネット系スタックによりＨＴＴＰにより取得される。放送で取得する場合は、シグナリングデータを格納したシグナリナングファイルや、ＤＡＳＨセグメントファイルと同様に、ＲＯＵＴＥプロトコルに従って転送される。
【０２４２】
（２ｂ）に含まれるシグナリングデータ本体は、更新後のシグナリングデータそのものである。
【０２４３】
先に説明したように、ＤＡＳＨ規格では、イベント通知機構として以下の２種類のタイプのイベント通知方式が規定されている。
（ａ）ＭＰＤ適用イベント通知方式（＝ＭＰＤ  Ｅｖｅｎｔ）、
（ｂ）セグメント適用イベント通知方式（＝Ｉｎ−ｂａｎｄ  Ｅｖｅｎｔ  Ｓｉｇｎａｌｉｎｇ）
これらの２種類のイベント通知方式が規定されている。
本開示の処理では、
（ｂ）セグメント適用イベント通知方式（＝Ｉｎ−ｂａｎｄ  Ｅｖｅｎｔ  Ｓｉｇｎａｌｉｎｇ）
上記のセグメント適用イベント通知方式を適用して、シグナリングデータ更新情報を通知する。以下、この処理例について説明する。
【０２４４】
［７−２．セグメント適用イベント通知方式（＝Ｉｎ−ｂａｎｄ  Ｅｖｅｎｔ  Ｓｉｇｎａｌｉｎｇ）を適用したシグナリングデータ更新情報の通知構成］
次に、セグメント適用イベント通知方式（＝Ｉｎ−ｂａｎｄ  Ｅｖｅｎｔ  Ｓｉｇｎａｌｉｎｇ）を適用したシグナリングデータ更新情報の通知構成について説明する。
【０２４５】
図１６は、セグメントを用いたイベント通知、すなわち、セグメント適用イベント通知方式（＝Ｉｎ−ｂａｎｄ  Ｅｖｅｎｔ  Ｓｉｇｎａｌｉｎｇ）において利用されるＭＰ４フォーマットデータ内のイベント情報格納ボックス（ｅｍｓｇ）を適用してシグナリングデータ更新情報を通知する場合のセグメント中の［イベント情報格納ボックス（ｅｍｓｇ）］の記述例を示す図である。
なお、フォーマットはバイナリのビットストリーム表現でエンコードされる場合も、ＸＭＬ等によるテキストでエンコードされる場合もある。
【０２４６】
図１６には、イベント識別子１，２によって識別されるシグナリングデータ更新情報１，２（ＳＬＳＵｐｄａｔｅ1，2）の２つのシグナリングデータ更新情報１，２（ＳＬＳＵｐｄａｔｅ）を個別に格納した２つのイベント情報格納ボックス（ｅｍｓｇ）のデータを示している。
図１６に示すようにシグナリングデータ更新情報を含むセグメントは、例えば以下の記述を有する。
【０２４７】
ｂｏｘ＿ｔｙｐｅ＝'ｅｍｓｇ'
ｓｃｈｅｍｅ＿ｉｄ＿ｕｒｉ＝"ｕｒｎ：ａｔｓｃ：ＳＬＳＵｐｄａｔｅ"
ｖａｌｕｅ＝０
ｔｉｍｅｓｃａｌｅ＝１０００
ｐｒｅｓｅｎｔａｔｉｏｎ＿ｔｉｍｅ＿ｄｅｌｔａ＝０
ｅｖｅｎｔ＿ｄｕｒａｔｉｏｎ  ＝  ０ｘＦＦＦＦ
ｉｄ＝１
ｍｅｓｓａｇｅ＿ｄａｔａ［］＝ＳＬＳＵｐｄａｔｅ1
【０２４８】
上記のイベント情報格納ボックス（ｅｍｓｇ）のデータ内容について説明する。
ｂｏｘ＿ｔｙｐｅ＝'ｅｍｓｇ'
このデータ記録記録領域はボックスタイプ記録領域である。このボックス（ＭＰ４において規定されるデータ格納ボックス）が、イベント情報格納ボックス（ｅｍｓｇ）であることを記述している。
【０２４９】
ｓｃｈｅｍｅ＿ｉｄ＿ｕｒｉ＝"ｕｒｎ：ａｔｓｃ：ＳＬＳＵｐｄａｔｅ"
ｖａｌｕｅ＝０
このデータ記録記録領域は、イベント種類等を示すイベント指定情報の記録領域である。
「ｓｃｈｅｍｅ＿ｉｄ＿ｕｒｉ＝"ｕｒｎ：ａｔｓｃ：ＳＬＳＵｐｄａｔｅ"」は、
このイベント通知がシグナリングデータ更新情報を通知するイベント通知であることを示している。
【０２５０】
ｔｉｍｅｓｃａｌｅ＝１０００
このデータ記録記録領域は、タイムスケール情報の記録領域である。
「ｔｉｍｅｓｃａｌｅ＝'１０００'」は、以下に記録されるプレゼンテーションタイム（ｐｒｅｓｅｎｔａｔｉｏｎＴｉｍｅ）の単位時間は１／１０００秒であることを示す。
【０２５１】
ｐｒｅｓｅｎｔａｔｉｏｎ＿ｔｉｍｅ＿ｄｅｌｔａ＝０
ｅｖｅｎｔ＿ｄｕｒａｔｉｏｎ＝０ｘＦＦＦＦ
これらのデータ記録記録領域は、イベントのアクティベート（実行開始等）時間や継続時間等のイベントスケジューリングデータの記録領域である。イベント指定情報によって特定されるイベントのアクティベート（活性化／実行）時刻＝０で、時刻＝０ｘＦＦＦＦまで継続することを指定している。なお、０ｘＦＦＦＦは終了時間を定義していないことを示し、このイベント情報格納ボックスの設定されたセグメントに対応するＡＶコンテンツの再生終了まで、イベントを継続してもしなくてもよいという指定であることを意味する。
【０２５２】
ｉｄ＝１
このデータ記録領域は、イベント識別情報記録領域である。
【０２５３】
ｍｅｓｓａｇｅ＿ｄａｔａ［］＝ＳＬＳＵｐｄａｔｅ1
このデータ記録領域は、イベントデータの記録領域である。
この例では、イベントデータとして、シグナリングデータ更新情報１（ＳＬＳＵｐｄａｔｅ1）が格納されている。
【０２５４】
シグナリングデータ更新情報１（ＳＬＳＵｐｄａｔｅ1）の具体例について、図１７（１）を参照して説明する。
図１７（１）に示すシグナリングデータ更新情報１（ＳＬＳＵｐｄａｔｅ1）は、先に図１５（１）を参照して説明したシグナリングデータ本体非格納型シグナリングデータ更新情報（ＳＬＳＵｐｄａｔｅ）と同様のデータ構成であり、以下のデータ構成要素を持つ。
（１ａ）シグナリングデータ識別子と、バージョン情報
【０２５５】
図１７（１）に示す例では、
シグナリングデータ識別子＝ｓｌｓ−ｕｒｉ
シグナリングデータバージョン＝１
これらを記録している。
【０２５６】
すなわち、図１６のイベント識別子＝１対応のセグメント適用イベント（ＳＬＳＵｐｄａｔｅ1）通知メッセージは、
シグナリングデータ識別子＝ｓｌｓ−ｕｒｉ
によって識別、取得可能なシグナリングデータについて、
時間＝０において、バージョン１のシグナリングデータの取得と処理を実行させる記述を持つイベント通知メッセージである。
【０２５７】
また、図１６の下段に示すイベント識別子＝２対応のセグメント適用イベント（ＳＬＳＵｐｄａｔｅ2）に格納されたシグナリングデータ更新情報２（ＳＬＳＵｐｄａｔｅ2）は図１７（２）に示すデータ構成を持つ。
図１７（２）に示すシグナリングデータ更新情報２（ＳＬＳＵｐｄａｔｅ2）も、先に図１５（１）を参照して説明したシグナリングデータ本体非格納型シグナリングデータ更新情報（ＳＬＳＵｐｄａｔｅ）と同様のデータ構成であり、以下のデータ構成要素を持つ。
（１ａ）シグナリングデータ識別子と、バージョン情報
【０２５８】
図１７（２）に示す例では、
シグナリングデータ識別子＝ｓｌｓ−ｕｒｉ
シグナリングデータバージョン＝２
これらを記録している。
【０２５９】
すなわち、図１６のイベント識別子＝２（ＳＬＳＵｐｄａｔｅ2）対応のセグメント適用イベント（ＳＬＳＵｐｄａｔｅ2）通知メッセージは、
シグナリングデータ識別子＝ｓｌｓ−ｕｒｉ
によって識別、取得可能なシグナリングデータについて、
時間＝１０００において、バージョン２のシグナリングデータの取得と処理を実行させる記述を持つイベント通知メッセージである。
【０２６０】
このように、セグメント適用イベント通知方式（＝Ｉｎ−ｂａｎｄ  Ｅｖｅｎｔ  Ｓｉｇｎａｌｉｎｇ）を適用したシグナリングデータ更新情報通知構成では、セグメントストリームの中（ｉｎ−ｓｔｒｅａｍ）にシグナリングデータ更新情報を記録して転送することができる。
【０２６１】
セグメント適用イベント通知方式（＝Ｉｎ−ｂａｎｄ  Ｅｖｅｎｔ  Ｓｉｇｎａｌｉｎｇ）では、「ｓｃｈｅｍｅ＿ｉｄ＿ｕｒｉ」フィールドと、オプショナルな「ｖａｌｕｅ」フィールドにイベント種類としてシグナリングデータ更新情報であることを定義可能である。
また、「ｍｅｓｓａｇｅ＿ｄａｔａ」フィールドにイベントデータ、すなわち、シグナリングデータ更新情報として、シグナリングデータ本体、あるいは識別子と、シグナリングデータのバージョン情報等を付加することができる。
【０２６２】
［８．セグメント適用イベント通知方式（＝Ｉｎ−ｂａｎｄ  Ｅｖｅｎｔ  Ｓｉｇｎａｌｉｎｇ）を適用したシグナリングデータ更新情報の通知、利用シーケンスについて］
次に、セグメント適用イベント通知方式（＝Ｉｎ−ｂａｎｄ  Ｅｖｅｎｔ  Ｓｉｇｎａｌｉｎｇ）を適用したシグナリングデータ更新情報の送信、利用シーケンスについて説明する。
上述したように、セグメント適用イベント通知方式（＝Ｉｎ−ｂａｎｄ  Ｅｖｅｎｔ  Ｓｉｇｎａｌｉｎｇ）を適用してシグナリングデータ更新情報を送信することができる。
【０２６３】
以下、図１８を参照してセグメント適用イベント通知方式（＝Ｉｎ−ｂａｎｄ  Ｅｖｅｎｔ  Ｓｉｇｎａｌｉｎｇ）を適用したシグナリングデータ更新情報の送信および利用シーケンスについて説明する。
【０２６４】
図１８には、イベント情報としてシグナリングデータ更新情報を記録したセグメントの生成（または取得）と出力を実行する送信装置５１０と、シグナリングデータ更新情報記録セグメントを受領してセグメントに記録されたシグナリングデータ更新情報に応じた処理を実行する受信装置５２０の構成と処理を示している。
【０２６５】
図１８には、左側に、シグナリングデータ更新情報を記録したセグメントの生成（または取得）と出力を実行する送信装置５１０を示している。
また、図１８の右側には、シグナリングデータ更新情報を記録したセグメントを入力してセグメントに記録されたシグナリングデータ更新情報に応じたシグナリングデータ更新処理処理を実行する受信装置５２０を示している。
【０２６６】
送信装置５１０は、具体的には、ＭＰＤ等のシグナリングデータや、ＡＶセグメントを送信する放送サーバ２１、データ配信サーバ２２である。
【０２６７】
また、図１８の右側に示す受信装置５２０は、具体的には、ＭＰＤ等のシグナリングデータや、ＡＶセグメントを入力してコンテンツ再生処理を実行する受信装置である。
【０２６８】
送信装置５１０の実行する処理について説明する。
送信装置５１０は、データ出力部（ＤＡＳＨサーバ）５１１、シグナリングデータ処理部（ＳＬＳサーバ）５１２、放送信号生成部（放送サーバ）５１３を有する。
なお、これらのサーバ機能は、ＭＰＤ等のシグナリングデータや、ＡＶセグメントを送信する図１に示す放送サーバ２１、データ配信サーバ２２が有する機能である。
以下、送信装置５１０の実行する処理について、処理ステップごとに説明する。
【０２６９】
（ステップＳ１０１）
まず、送信装置５１０のデータ出力部（ＤＡＳＨサーバ）５１１は、ステップＳ１０１において、ＭＰＤ、および再生コンテンツを構成するＡＶデータを含むセグメントを生成、または取得する。
【０２７０】
（ステップＳ１０２）
次に、送信装置５１０のシグナリングデータ処理部（ＳＬＳサーバ）５１２は、ステップＳ１０２において、シグナリングデータを生成する。
シグナリングデータは、例えば既に送信済みのシグナリングデータの更新バージョンである。
なお、シグナリングデータは、先に説明したように、例えば、番組表等の番組予定情報や、番組取得に必要となるアドレス情報（ＵＲＬ（Ｕｎｉｆｏｒｍ  Ｒｅｓｏｕｒｃｅ  Ｌｏｃａｔｏｒ）等）、さらにコンテンツの再生処理に必要な情報、例えばコーデック情報（符号化方式など）などからなる案内情報、アプリケーション制御情報等の様々な制御情報によって構成される。
【０２７１】
（ステップＳ１０３）
次に、送信装置５１０のシグナリングデータ処理部（ＳＬＳサーバ）５１２は、ステップＳ１０３において、シグナリングデータ更新情報をイベントとして生成する。
例えば、先に図１５を参照して説明したシグナリングデータ更新情報を生成する。
図１５を参照して説明したように、シグナリングデータ更新情報は、例えば、以下の２つのデータタイプがある。
（１）シグナリングデータ本体非格納型シグナリングデータ更新情報（ＳＬＳ  Ｕｐｄａｔｅ  Ｍｅｓｓａｇｅ）
（２）シグナリングデータ本体格納型シグナリングデータ更新情報（ＳＬＳ  Ｕｐｄａｔｅ  Ｍｅｓｓａｇｅ）
ステップＳ１０２では、これらのいずれかのタイプのシグナリングデータ更新情報を生成し、さらに、イベント通知メッセージに設定すべきパラメータの決定などを行う。
すなわち、シグナリングデータ更新情報のアクティベート時間、継続時間等、イベント通知において必要となる各パラメータを決定する。すなわち、ＤＡＳＨ規格に従ったイベント通知機構を利用したシグナリングデータ更新情報送信を可能とするためのパラメータその他のフォーマットデータの設定処理などを行う。
【０２７２】
（ステップＳ１０４）
次に、送信装置５１０のデータ出力部（ＤＡＳＨサーバ）３１１は、ステップＳ１０４において、セグメントの構成データであるＭＰ４において規定されるｅｍｓｇボックスに対して、イベント情報としてシグナリングデータ更新情報の挿入を行う。
この処理によって、先に図１６を参照して説明したシグナリングデータ更新情報を含むセグメントが生成される。具体的にはＭＰ４において規定されるｅｍｓｇボックス記録データを生成する。
【０２７３】
図１６に示すシグナリングデータ更新情報格納セグメントには、先に説明したように、
イベントの種類として、シグナリングデータ更新情報であることが示されている。
また、イベントデータとして、図１５を参照して説明したシグナリングデータ更新情報が格納されている。
さらに、シグナリングデータ更新情報のアクティベート（活性化）時刻、継続時間情報等が記録されている。
受信装置は、このゼグメントに記録されたシグナリングデータ更新情報に従って、指定されたシグナリングデータ更新情報を参照した処理を行なうことが可能となる。
【０２７４】
すなわち、シグナリングデータ更新情報の記録データに従って更新された最新のシグナリングデータを取得し、取得した最新のシグナリングデータを参照した様々な処理を実行することができる。
シグナリングデータの更新や、利用処理等の実行時間や、継続時間は、セグメント（ｅｍｓｇボックス）記録データに従うことになる。
【０２７５】
（ステップＳ１０５）
次に、送信装置５１０のデータ出力部（ＤＡＳＨサーバ）５１１は、ステップＳ１０５において、ＭＰＤ、およびシグナリングデータ更新情報を記録したセグメントを送信（出力）する。
【０２７６】
送信装置５１０が放送サーバ２１である場合、放送信号生成部（放送サーバ）５１３において、ＭＰＤやセグメントを放送波に載せて送信する処理が行われる。
データ配信サーバ２２である場合は、ＭＰＤやセグメントを、ネットワークを介して送信する。
【０２７７】
次に、図１８の右側に示す受信装置５２０の実行する処理について説明する。
図１８には、受信装置５２０のミドルウェア５２１、シグナリングデータ処理部５２２、再生制御部５２３を示している。これらの構成は、図５、図６に示すチューナ実装受信装置３０の各構成に対応する。
【０２７８】
（ステップＳ１２１）
まず、受信装置５２０の再生制御部（ＤＡＳＨクライアント）５２３は、送信装置５１０からミドルウェア５２１を介してセグメントを取得すると、ステップＳ１２１において、取得したセグメントからイベント情報を取得する。
【０２７９】
なお、ここで取得したセグメントは、シグナリングデータ更新情報が記録されたｅｍｓｇボックスを含むセグメントであるものとする。
図１６を参照して説明したＭＰ４規定のｅｍｓｇボックスにシグナリングデータ更新情報が記録されたセグメントである。
【０２８０】
シグナリングデータ更新情報格納セグメントには、先に説明したように、
イベントの種類として、シグナリングデータ更新情報であることが示されている。
また、イベントデータとして、図１５を参照して説明したシグナリングデータ更新情報が格納されている。
さらに、シグナリングデータ更新情報のアクティベート（活性化）時刻、継続時間情報等が記録されている。
受信装置は、このセグメントに記録されたシグナリングデータ更新情報を利用してシグナリングデータの取得、およびシグナリングデータに従った処理等を行うことが可能となる。
【０２８１】
（ステップＳ１２２）
次に、受信装置５２０のシグナリングデータ処理部５２２は、ステップＳ１２２において、セグメントから取得したシグナリングデータ更新情報を参照して、最新の更新されたシグナリングデータを取得し、取得した最新の更新されたシグナリングデータに従った処理を行なう。
すなわち、シグナリングデータ処理部５２２は、シグナリングデータ更新処理を実行するとともに、更新されたシグナリングデータに記録されたシグナリング情報に従ったデータ処理を実行する。具体的には例えば番組表の更新処理等である。
【０２８２】
シグナリングデータ更新情報を格納したセグメントには、イベントデータとして、図１５を参照して説明したシグナリングデータ更新情報が格納されている。
シグナリングデータ更新情報には、更新対象のシグナリングデータ本体、または識別情報が記録され、さらにバージョン情報等が記録されている。
【０２８３】
シグナリングデータ処理部５２２は、このシグナリングデータ更新情報の記録データに従って取得される最新の更新シグナリングデータを参照して、取得した最新のシグナリングデータに基づく処理を実行する
なお、シグナリングデータの適用時刻や、継続時間情報は、先に図１６を参照して説明したようにセグメント（ＭＰ４規定のｅｍｓｇボックス）に記録されている。
【０２８４】
（ステップＳ１２３）
次に、受信装置５２０の再生制御部（ＤＡＳＨクライアント）５２３は、送信装置５１０から受信したセグメントからＡＶコンテンツ等を取得し再生処理を実行する。
なお、ステップＳ１４１〜Ｓ１４３の処理は、継続的に繰り返し実行されることになる。
【０２８５】
このように、受信装置（クライアント）は、ＡＶセグメントを受信し再生する処理に併せて、セグメントに記録されたイベント情報としてのシグナリングデータ更新情報に従って、シグナリングデータの更新、およびシグナリングデータの適用処理を、大きな遅延なく、すなわちタイムリに実行することが可能となる。
【０２８６】
［９．チューナ非実装受信装置を利用した場合の処理例について］
先に、図５、図６を参照して説明したように、放送コンテンツ等の再生を実行する受信装置（クライアント）には、チューナ実装受信装置（クライアントＡ）３０や、チューナ非実装受信装置（クライアントＢ）４０がある。
【０２８７】
チューナ非実装受信装置（クライアントＢ）４０は、直接、放送波を受信できないため、チューナ実装受信装置（クライアントＡ）３０を介して様々なデータを入力することが必要となる。
シグナリングデータ更新情報についても同様であり、チューナ非実装受信装置（クライアントＢ）４０は、直接、シグナリングデータ更新情報を受信できないため、チューナ実装受信装置（クライアントＡ）３０を介して入力することが必要となる。
以下、チューナ非実装受信装置（クライアントＢ）４０が、チューナ実装受信装置（クライアントＡ）３０を介してシグナリングデータ更新情報を入力して処理を行なう場合の処理シーケンスについて説明する。
【０２８８】
上述したように、イベント通知機構を適用してシグナリングデータ更新情報を送信する場合、「（ｂ）セグメント適用イベント通知方式（＝Ｉｎ−ｂａｎｄ  Ｅｖｅｎｔ  Ｓｉｇｎａｌｉｎｇ）」を適用する。
以下、このイベント通知方式を利用してシグナリングデータ更新情報を送信する場合のシーケンスについて説明する。
【０２８９】
［９−１．セグメント適用イベント通知方式（＝Ｉｎ−ｂａｎｄ  Ｅｖｅｎｔ  Ｓｉｇｎａｌｉｎｇ）を適用したシグナリングデータ更新情報の送信および利用シーケンスについて］
【０２９０】
図１９を参照して、以下の３つの装置間の処理シーケンスについて説明する。
（１）ＡＶセグメントや、シグナリングデータ更新情報の生成と出力を実行する送信装置６１０、
（２）ＡＶセグメントや、シグナリングデータ更新情報を受信し、シグナリングデータ更新情報をイベント情報としてセグメントに記録したシグナリングデータ更新情報記録セグメントを生成するチューナ実装受信装置６２０、
（３）チューナ実装受信装置６２０から、シグナリングデータ更新情報記録セグメントを受領してセグメント記録シグナリングデータ更新情報に応じた処理を実行するチューナ非実装受信装置６３０、
【０２９１】
図１９には、左から、送信装置６１０、チューナ実装受信装置６２０、さらに、チューナ非実装受信装置６３０を示している。
送信装置６１０は、具体的には、ＭＰＤ等のシグナリングデータや、ＡＶセグメントを送信する放送サーバ２１、データ配信サーバ２２である。
【０２９２】
送信装置６１０の実行する処理について説明する。
送信装置６１０は、データ出力部（ＤＡＳＨサーバ）６１１、シグナリングデータ処理部（ＳＬＳサーバ）６１２、放送信号生成部（放送サーバ）６１３を有する。
なお、これらのサーバ機能は、ＭＰＤ等のシグナリングデータや、ＡＶセグメントを送信する図１に示す放送サーバ２１、データ配信サーバ２２が有する機能である。
以下、送信装置６１０の実行する処理について、処理ステップごとに説明する。
【０２９３】
（ステップＳ２５１）
まず、送信装置６１０のデータ出力部（ＤＡＳＨサーバ）６１１は、ステップＳ２５１において、シグナリングデータとしてのＭＰＤ、および再生コンテンツを構成するＡＶデータを含むセグメントを生成取得する。
【０２９４】
（ステップＳ２５２〜Ｓ２５３）
次に、送信装置６１０のシグナリングデータ処理部（ＳＬＳサーバ）６１２は、ステップＳ２５２において、シグナリングデータを生成し、ステップＳ２５３において生成したシグナリングデータを送信する。
【０２９５】
シグナリングデータは、先に説明したように、例えば、番組表等の番組予定情報や、番組取得に必要となるアドレス情報（ＵＲＬ（Ｕｎｉｆｏｒｍ  Ｒｅｓｏｕｒｃｅ  Ｌｏｃａｔｏｒ）等）、さらにコンテンツの再生処理に必要な情報、例えばコーデック情報（符号化方式など）などからなる案内情報、アプリケーション制御情報等の様々な制御情報によって構成される。
【０２９６】
（ステップＳ２５４）
次に、送信装置６１０のデータ出力部（ＤＡＳＨサーバ）６１１は、ステップＳ２５４において、シグナリングデータとしてのＭＰＤやセグメントを送信（出力）する。
【０２９７】
送信装置６１０が放送サーバ２１である場合、放送信号生成部（放送サーバ）６１３において、ＭＰＤやセグメントを放送波に載せて送信する処理が行われる。
データ配信サーバ２２である場合は、ＭＰＤやセグメントを、ネットワークを介して送信する。
【０２９８】
次に、チューナ実装受信装置６２０の処理について説明する。
チューナ実装受信装置６２０は、図５、図６に示すチューナ実装受信装置３０と同様の構成を持つ。
チューナ実装受信装置６２０のミドルウェアは、送信装置６１０の送信するＭＰＤやセグメント、さらにシグナリングデータ（ＳＬＳ）を受信する。
チューナ実装受信装置６２０は、ミドルウェア６２１においてシグナリングデータ更新情報をイベント情報としてセグメントに記録したシグナリングデータ更新情報記録セグメントを生成する。
さらに、生成したシグナリングデータ更新情報記録セグメントや、ＭＰＤ、およびＡＶセグメントをチューナ非実装受信装置６３０に転送する。
チューナ実装受信装置６２０の実行する各ステップの処理について説明する。
【０２９９】
（ステップＳ２６１）
チューナ実装受信装置６２０のミドルウェア６２１は、送信装置６１０からシグナリングデータを受信すると、ステップＳ２６１において、受信したシグナリングデータに基づいてシグナリングデータ更新情報をイベントとして生成する。
例えば、先に図１５を参照して説明したシグナリングデータ更新情報を生成する。
図１５を参照して説明したように、シグナリングデータ更新情報は、例えば、以下の２つのデータタイプがある。
（１）シグナリングデータ本体非格納型シグナリングデータ更新情報（ＳＬＳ  Ｕｐｄａｔｅ  Ｍｅｓｓａｇｅ）
（２）シグナリングデータ本体格納型シグナリングデータ更新情報（ＳＬＳ  Ｕｐｄａｔｅ  Ｍｅｓｓａｇｅ）
ステップＳ２６１では、これらのいずれかのタイプのシグナリングデータ更新情報を生成し、さらに、イベント通知メッセージに設定すべきパラメータの決定などを行う。
すなわち、シグナリングデータ更新情報のアクティベート時間、継続時間等、イベント通知において必要となる各パラメータを決定する。すなわち、ＤＡＳＨ規格に従ったイベント通知機構を利用したシグナリングデータ更新情報送信を可能とするためのパラメータその他のフォーマットデータの設定処理などを行う。
【０３００】
（ステップＳ２６２）
次に、チューナ実装受信装置６２０のミドルウェア６２１は、ステップＳ２６２において、セグメントの構成データであるＭＰ４において規定されるｅｍｓｇボックスに対して、イベント情報としてシグナリングデータ更新情報の挿入を行う。
この処理によって、先に図１６を参照して説明したシグナリングデータ更新情報を含むセグメントが生成される。具体的にはＭＰ４において規定されるｅｍｓｇボックス記録データを生成する。
【０３０１】
図１６に示すシグナリングデータ更新情報格納セグメントには、先に説明したように、
イベントの種類として、シグナリングデータ更新情報であることが示されている。
また、イベントデータとして、図１５を参照して説明したシグナリングデータ更新情報が格納されている。
さらに、シグナリングデータ更新情報のアクティベート（活性化）時刻、継続時間情報等が記録されている。
受信装置は、このゼグメントに記録されたシグナリングデータ更新情報に従って、指定されたシグナリングデータ更新情報を参照した処理を行なうことが可能となる。
【０３０２】
すなわち、シグナリングデータ更新情報の記録データに従って更新された最新のシグナリングデータを取得し、取得した最新のシグナリングデータを参照した様々な処理を実行することができる。
シグナリングデータの更新や、利用処理等の実行時間や、継続時間は、セグメント（ｅｍｓｇボックス）記録データに従うことになる。
【０３０３】
（ステップＳ２６３）
次に、チューナ実装受信装置６２０のミドルウェア６２１は、ステップＳ２６３において、ＭＰＤ、およびシグナリングデータ更新情報を記録したセグメント他のセグメントを送信（出力）する。
【０３０４】
なお、チューナ実装受信装置６２０から、チューナ非実装受信装置６３０に対するＭＰＤやセグメント出力は、例えば、チューナ実装受信装置６２０のミドルウェアからプロキシサーバを介して実行される。
【０３０５】
次に、図１９の右側に示すチューナ非実装受信装置６３０の実行する処理について説明する。
図１９には、チューナ非実装受信装置６３０のシグナリングデータ処理部６３１、再生制御部６３２を示している。これらの構成は、図５、図６に示すチューナ非実装受信装置４０の各構成に対応する。
【０３０６】
（ステップＳ２７１）
まず、チューナ非実装受信装置６３０の再生制御部（ＤＡＳＨクライアント）６３２は、チューナ実装受信装置６２０のミドルウェア６２１を介してセグメントを取得すると、ステップＳ２７１において、取得したセグメントからイベント情報を取得する。
【０３０７】
なお、ここで取得したセグメントは、シグナリングデータ更新情報が記録されたｅｍｓｇボックスを含むセグメントであるものとする。
図１６を参照して説明したＭＰ４規定のｅｍｓｇボックスにシグナリングデータ更新情報が記録されたセグメントである。
【０３０８】
シグナリングデータ更新情報格納セグメントには、先に説明したように、
イベントの種類として、シグナリングデータ更新情報であることが示されている。
また、イベントデータとして、図１５を参照して説明したシグナリングデータ更新情報が格納されている。
さらに、シグナリングデータ更新情報のアクティベート（活性化）時刻、継続時間情報等が記録されている。
受信装置は、このセグメントに記録されたシグナリングデータ更新情報に従って、更新された最新のシグナリングデータを取得し、取得した最新のシグナリングデータを参照した様々な処理を実行することができる。
【０３０９】
（ステップＳ２７２）
次に、チューナ非実装受信装置６３０のシグナリングデータ処理部６３１は、ステップＳ２７２において、セグメントから取得したシグナリングデータ更新情報を参照して、最新の更新されたシグナリングデータを取得し、取得した最新の更新されたシグナリングデータに従った処理を行なう。
すなわち、シグナリングデータ処理部５２２は、シグナリングデータ更新処理を実行するとともに、更新されたシグナリングデータに記録されたシグナリング情報に従ったデータ処理を実行する。具体的には例えば番組表の更新処理等である。
【０３１０】
シグナリングデータ更新情報を格納したセグメントには、イベントデータとして、図１５を参照して説明したシグナリングデータ更新情報が格納されている。
シグナリングデータ更新情報には、更新対象のシグナリングデータ本体、または識別情報が記録され、さらにバージョン情報等が記録されている。
【０３１１】
シグナリングデータ処理部５２２は、このシグナリングデータ更新情報の記録データに従って取得される最新の更新シグナリングデータを参照して、取得した最新のシグナリングデータに基づく処理を実行する
なお、シグナリングデータの適用時刻や、継続時間情報は、先に図１６を参照して説明したようにセグメント（ＭＰ４規定のｅｍｓｇボックス）に記録されている。
【０３１２】
（ステップＳ２７３）
次に、チューナ非実装受信装置６３０の再生制御部（ＤＡＳＨクライアント）６３２は、チューナ実装受信装置６２０を介して受信したセグメントからＡＶコンテンツ等を取得し再生処理を実行する。
なお、ステップＳ２７１〜Ｓ２７３の処理は、継続的に繰り返し実行されることになる。
【０３１３】
このように、チューナ非実装受信装置６３０は、ＡＶセグメントを受信し再生する処理に併せて、セグメントに記録されたイベント情報としてのシグナリングデータ更新情報に従って、シグナリングデータの更新、およびシグナリングデータの適用処理を、大きな遅延なく、すなわちタイムリに実行することが可能となる。
【０３１４】
［１０．送信装置と受信装置の構成例について］
次に、通信装置である送信装置（サーバ）２０と、受信装置（クライアント）３０，４０の装置構成例について、図２０、図２１を参照して説明する。
【０３１５】
図２０には、送信装置（サーバ）２０と、受信装置（クライアント）３０の構成例を示している。
送信装置（サーバ）２０は、データ処理部７５１、通信部７５２、記憶部７５３を有する。
受信装置（クライアント）３０，４０は、データ処理部７７１、通信部７７２、記憶部７７３、入力部７７４、出力部７７５を有する。
データ処理部には再生制御部７７１ａ、出力制御部７７１ｂ、シグナリングデータ処理部７７１ｃが含まれる。
【０３１６】
送信装置（サーバ）２０のデータ処理部７５１は、データ配信サービスを実行するための各種のデータ処理を実行する。例えばデータ配信サービスの構成データの生成や送信制御を行う。さらに、データ処理部７５１は、受信装置（クライアント）３０に提供するアプリケーション、シグナリングデータ更新情報、シグナリングデータ更新情報格納セグメント、その他の様々なデータや、シグナリングデータの生成、送信処理を行う。
【０３１７】
通信部７５２は、ＡＶセグメントの他、アプリケーション、シグナリングデータ更新情報、シグナリングデータ更新情報格納セグメント、その他の様々なデータ、シグナリングデータ等の配信等の通信処理を行う。
記憶部７５３は配信対象とするＡＶセグメント、アプリケーション、シグナリングデータ更新情報、シグナリングデータ更新情報格納セグメント、アプリケーションによって利用されるデータ、シグナリングデータなどが格納される。
さらに、記憶部７５３は、データ処理部７５１の実行するデータ処理のワークエリアとして利用され、また各種パラメータの記憶領域としても利用される。
【０３１８】
一方、受信装置（クライアント）３０，４０は、データ処理部７７１、通信部７７２、記憶部７７３、入力部７７４、出力部７７５を有する。
【０３１９】
通信部７７２は、チューナ実装受信装置３０の通信部と、チューナ非実装受信装置４０の場合とで異なる設定となる。
チューナ実装受信装置３０の通信部は、送信装置（サーバ）２０から配信されるデータ、例えばＡＶセグメントやアプリケーション、シグナリングデータ更新情報、シグナリングデータ更新情報格納セグメント、アプリケーションによって利用されるデータ、シグナリングデータ等を受信する。
さらに、ＬＡＮ、Ｗｉ−Ｆｉ等のネットワークを介したデータ送受信が可能な通信部として構成される。
一方、チューナ非実装受信装置４０の通信部は、放送波を受信可能なチューナ部は持たず、ＬＡＮ，Ｗｉ−Ｆｉ等のネットワークを介したデータ送受信を実行可能な通信部として構成される。
【０３２０】
データ処理部７７１は、再生制御部７７１ａ、出力制御部７７１ｂ、シグナリングデータ処理部７７１ｃを有し、例えば先に説明した実施例に従った処理等を実行する。
具体的には、アプリケーションや、ＡＰＩ、さらに、シグナリングデータ更新情報、シグナリングデータ更新情報格納セグメントを利用したデータ処理等を実行する。
【０３２１】
ユーザの指示コマンド、例えばチャンネル選択、アプリケーション起動、インストール等の様々なコマンドは入力部７７４を介して入力される。
再生データは表示部やスピーカ等の出力部７７５に出力される。
記憶部７７３はＡＶセグメント、シグナリングデータ更新情報、シグナリングデータ更新情報格納セグメント、アプリケーション、アプリケーションによって利用されるデータ、シグナリングデータなどが格納される。
さらに、記憶部７７３は、データ処理部７７１の実行するデータ処理のワークエリアとして利用され、また各種パラメータの記憶領域としても利用される。
【０３２２】
図２１は、送信装置２０、受信装置３０として適用可能な通信装置のハードウェア構成例を示している。
【０３２３】
ＣＰＵ（Ｃｅｎｔｒａｌ  Ｐｒｏｃｅｓｓｉｎｇ  Ｕｎｉｔ）８０１は、ＲＯＭ（Ｒｅａｄ  Ｏｎｌｙ  Ｍｅｍｏｒｙ）８０２、または記憶部８０８に記憶されているプログラムに従って各種の処理を実行するデータ処理部として機能する。例えば、上述した実施例において説明したシーケンスに従った処理を実行する。ＲＡＭ（Ｒａｎｄｏｍ  Ａｃｃｅｓｓ  Ｍｅｍｏｒｙ）８０３には、ＣＰＵ８０１が実行するプログラムやデータなどが記憶される。これらのＣＰＵ８０１、ＲＯＭ８０２、およびＲＡＭ８０３は、バス８０４により相互に接続されている。
【０３２４】
ＣＰＵ８０１はバス８０４を介して入出力インタフェース８０５に接続され、入出力インタフェース８０５には、各種スイッチ、キーボード、マウス、マイクロホンなどよりなる入力部８０６、ディスプレイ、スピーカなどよりなる出力部８０７が接続されている。ＣＰＵ８０１は、入力部８０６から入力される指令に対応して各種の処理を実行し、処理結果を例えば出力部８０７に出力する。
【０３２５】
入出力インタフェース８０５に接続されている記憶部８０８は、例えばハードディスク等からなり、ＣＰＵ８０１が実行するプログラムや各種のデータを記憶する。通信部８０９は、インターネットやローカルエリアネットワークなどのネットワークを介したデータ通信の送受信部、さらに放送波の送受信部として機能し、外部の装置と通信する。
【０３２６】
入出力インタフェース８０５に接続されているドライブ８１０は、磁気ディスク、光ディスク、光磁気ディスク、あるいはメモリカード等の半導体メモリなどのリムーバブルメディア８１１を駆動し、データの記録あるいは読み取りを実行する。
【０３２７】
なお、データの符号化あるいは復号は、データ処理部としてのＣＰＵ８０１の処理として実行可能であるが、符号化処理あるいは復号処理を実行するための専用ハードウェアとしてのコーデックを備えた構成としてもよい。
【０３２８】
［１１．本開示の構成のまとめ］
以上、特定の実施例を参照しながら、本開示の実施例について詳解してきた。しかしながら、本開示の要旨を逸脱しない範囲で当業者が実施例の修正や代用を成し得ることは自明である。すなわち、例示という形態で本発明を開示してきたのであり、限定的に解釈されるべきではない。本開示の要旨を判断するためには、特許請求の範囲の欄を参酌すべきである。
【０３２９】
なお、本明細書において開示した技術は、以下のような構成をとることができる。
（１）  シグナリングデータ更新情報をイベントデータとして格納したイベント通知データを受信する通信部と、
イベント通知メッセージにイベントデータとして格納されたシグナリングデータ更新情報に基づくシグナリングデータ更新処理を実行するシグナリングデータ処理部を有する受信装置。
【０３３０】
（２）  前記シグナリングデータ処理部は、
前記シグナリングデータ更新処理によって更新されたシグナリングデータに記録されたシグナリング情報に従ったデータ処理を実行する（１）に記載の受信装置。
【０３３１】
（３）  前記イベント通知データは、
ＡＶコンテンツの送信用データであるセグメントを利用したイベント通知方式であるセグメント適用イベント通知方式（＝Ｉｎ−ｂａｎｄ  Ｅｖｅｎｔ  Ｓｉｇｎａｌｉｎｇ）に従ったデータフォーマットを持つイベント通知データである（１）または（２）に記載の受信装置。
【０３３２】
（４）  前記イベント通知データは、
イベントデータがシグナリングデータ更新情報であることを示すイベント識別子を記録したデータである（１）〜（３）いずれかに記載の受信装置。
【０３３３】
（５）  前記イベント通知データは、
イベントデータとして格納されたシグナリングデータ更新情報に従って処理を実行するための制御時間情報を記録したデータである（１）〜（４）いずれかに記載の受信装置。
【０３３４】
（６）  前記シグナリングデータ更新情報は、
更新後のシグナリングデータ本体、または更新後のシグナリングデータ識別子を記録したデータである（１）〜（５）いずれかに記載の受信装置。
【０３３５】
（７）  前記シグナリングデータ更新情報は、
更新後のシグナリングデータのバージョン情報を記録したデータである（１）〜（６）いずれかに記載の受信装置。
【０３３６】
（８）  前記受信装置は、さらに、
前記通信部の受信したイベント通知データから、シグナリングデータ更新情報を取得して前記シグナリングデータ処理部に出力するデータ処理部を有する（１）〜（７）いずれかに記載の受信装置。
【０３３７】
（９）  シグナリングデータを受信する通信部と、
前記シグナリングデータ更新情報をイベントデータとして格納したイベント通知データを生成するミドルウェアと、
前記イベント通知データからシグナリングデータ更新情報を取得して、シグナリングデータ処理部に出力するデータ処理部と、
前記シグナリングデータ更新情報に基づくシグナリングデータ更新処理を実行するシグナリングデータ処理部を有する受信装置。
【０３３８】
（１０）  前記ミドルウェアは、
ＡＶコンテンツの送信用データであるセグメントを利用したイベント通知方式であるセグメント適用イベント通知方式（＝Ｉｎ−ｂａｎｄ  Ｅｖｅｎｔ  Ｓｉｇｎａｌｉｎｇ）に従ったデータフォーマットを持つイベント通知データを生成する（９）に記載の受信装置。
【０３３９】
（１１）  シグナリングデータ更新情報をイベントデータとして格納したイベント通知データを送信する通信部を有する送信装置。
【０３４０】
（１２）  前記イベント通知データは、
ＡＶコンテンツの送信用データであるセグメントを利用したイベント通知方式であるセグメント適用イベント通知方式（＝Ｉｎ−ｂａｎｄ  Ｅｖｅｎｔ  Ｓｉｇｎａｌｉｎｇ）に従ったデータフォーマットを持つイベント通知データである（１１）に記載の送信装置。
【０３４１】
（１３）  受信装置において実行するデータ処理方法であり、
通信部が、シグナリングデータ更新情報をイベントデータとして格納したイベント通知データを受信し、
シグナリングデータ処理部が、イベント通知メッセージにイベントデータとして格納されたシグナリングデータ更新情報に基づくシグナリングデータ更新処理を実行するデータ処理方法。
【０３４２】
（１４）  受信装置において実行するデータ処理方法であり、
通信部が、シグナリングデータを受信し、
ミドルウェアが、シグナリングデータ更新情報をイベントデータとして格納したイベント通知データを生成し、
データ処理部が、前記イベント通知データからシグナリングデータ更新情報を取得して、シグナリングデータ処理部に出力し、
シグナリングデータ処理部が、前記シグナリングデータ更新情報に基づくシグナリングデータ更新処理を実行するデータ処理方法。
【０３４３】
（１５）  送信装置において実行するデータ処理方法であり、
通信部が、シグナリングデータ更新情報をイベントデータとして格納したイベント通知データを送信するデータ処理方法。
【０３４４】
また、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。例えば、プログラムは記録媒体に予め記録しておくことができる。記録媒体からコンピュータにインストールする他、ＬＡＮ（Ｌｏｃａｌ  Ａｒｅａ  Ｎｅｔｗｏｒｋ）、インターネットといったネットワークを介してプログラムを受信し、内蔵するハードディスク等の記録媒体にインストールすることができる。
【０３４５】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【０３４６】
以上、説明したように、本開示の一実施例の構成によれば、シグナリングデータ更新情報をイベント通知メッセージに格納して受信装置に送信し、受信装置における確実なシグナリングデータ更新処理を実行可能とした構成が実現される。
具体的には、送信装置が受信装置に、シグナリングデータ更新情報をイベント通知メッセージに格納して送信する。受信装置は、イベント通知に格納されたイベントデータがシグナリングデータ更新情報である場合、シグナリングデータ処理部に出力する。シグナリングデータ処理部は、シグナリングデータ更新情報に基づくシグナリングデータ更新処理を実行する。イベント通知データは、ＡＶコンテンツの送信用データであるセグメント内に格納され、受信装置はセグメントからシグナリングデータ更新情報を取得してシグナリングデータ更新処理を行うことができる。
本構成により、シグナリングデータ更新情報をイベント通知メッセージに格納して受信装置に送信し、受信装置における確実なシグナリングデータ更新処理を実行可能とした構成が実現される。
【符号の説明】
【０３４７】
１０  通信システム
２０  送信装置
２１  放送サーバ
２２  データ配信サーバ
３０  チューナ実装受信装置
３１  中継サーバ
３２  ＴＶ
３３  ＰＣ
３４  携帯端末
４０  チューナ非実装受信装置
４１  ＰＣ
４２  携帯端末
５０  シグナリングデータ
６０  ＡＶセグメント
７０  その他のデータ
１１０  ミドルウェア
１１１  通信部（ＰＨＹ／ＭＡＣ）
１１２  シグナリング取得部
１１３  シグナリング解析部
１１４  セグメント取得部
１１５  イベント挿入部
１１６  アプリケーションファイル取得部
１２０  ＨＴＴＰプロキシサーバ
１２１，１２２  キャッシュ部
１２３  アドレス解決部
１３１，１５１  再生制御部
１３２，１５２  出力制御部
１４０，１６０  シグナリングデータ処理部
３１０  イベント挿入実行装置
３１１  データ出力部（ＤＡＳＨサーバ）
３１２  イベント処理部（イベントサーバ）
３２０  イベント実行装置
３２１  再生制御部（イベントクライアント）
３２２  再生制御部（ＤＡＳＨクライアント）
５１０  送信装置
５１１  データ出力部（ＤＡＳＨサーバ）
５１２  シグナリングデータ処理部（ＳＬＳサーバ）
５１３  放送信号処理部（放送サーバ）
５２０  受信装置
５２１  ミドルウェア
５２２  シグナリングデータ処理部
５２３  再生制御部
６１０  送信装置
６１１  データ出力部（ＤＡＳＨサーバ）
６１２  シグナリングデータ処理部（ＳＬＳサーバ）
６１３  放送信号処理部（放送サーバ）
６２０  チューナ実装受信装置
６２１  ミドルウェア
６３０  チューナ非実装受信装置
６３１  シグナリングデータ処理部
６３２  再生制御部
７５１  データ処理部
７５２  通信部
７５３  記憶部
７７１  データ処理部
７７１ａ  再生制御部
７７１ｂ  出力制御部
７７１ｃ  シグナリングデータ処理部
７７２  通信部
７７３  記憶部
７７４  入力部
７７５  出力部
８０１  ＣＰＵ
８０２  ＲＯＭ
８０３  ＲＡＭ
８０４  バス
８０５  入出力インタフェース
８０６  入力部
８０７  出力部
８０８  記憶部
８０９  通信部
８１０  ドライブ
８１１  リムーバブルメディア
【図１】
2016174960.tif 000003
【図２】
2016174960.tif 000004
【図３】
2016174960.tif 000005
【図４】
2016174960.tif 000006
【図５】
2016174960.tif 000007
【図６】
2016174960.tif 000008
【図７】
2016174960.tif 000009
【図８】
2016174960.tif 000010
【図９】
2016174960.tif 000011
【図１０】
2016174960.tif 000012
【図１１】
2016174960.tif 000013
【図１２】
2016174960.tif 000014
【図１３】
2016174960.tif 000015
【図１４】
2016174960.tif 000016
【図１５】
2016174960.tif 000017
【図１６】
2016174960.tif 000018
【図１７】
2016174960.tif 000019
【図１８】
2016174960.tif 000020
【図１９】
2016174960.tif 000021
【図２０】
2016174960.tif 000022
【図２１】
2016174960.tif 000023
【手続補正書】
【提出日】平成28年6月21日(2016.6.21)
【手続補正１】
【補正対象書類名】特許請求の範囲
【補正対象項目名】全文
【補正方法】変更
【補正の内容】
【特許請求の範囲】
【請求項１】
シグナリングデータ更新情報をイベントデータとして格納したイベント通知データを受信する通信部と、
ＡＶコンテンツを格納したセグメントを取得して、コンテンツ再生制御を実行する再生制御部と、
イベント通知データにイベントデータとして格納されたシグナリングデータ更新情報に基づくシグナリングデータ更新処理を実行するシグナリングデータ処理部を有し、
前記再生制御部は、
取得セグメントが、シグナリングデータ更新情報をイベントデータとして格納したイベント通知データである場合、セグメントからイベントデータを抽出して前記シグナリングデータ処理部に出力し、
前記シグナリングデータ処理部は、前記再生制御部から入力したイベントデータであるシグナリングデータ更新情報に基づくシグナリングデータ更新処理を実行する受信装置。
【請求項２】
前記シグナリングデータ処理部は、
前記シグナリングデータ更新処理によって更新されたシグナリングデータに記録されたシグナリング情報に従ったデータ処理を実行する請求項１に記載の受信装置。
【請求項３】
前記イベント通知データは、
ＡＶコンテンツの送信用データであるセグメントを利用したイベント通知方式であるセグメント適用イベント通知方式（＝Ｉｎ−ｂａｎｄ  Ｅｖｅｎｔ  Ｓｉｇｎａｌｉｎｇ）に従ったデータフォーマットを持つイベント通知データである請求項１に記載の受信装置。
【請求項４】
前記イベント通知データは、
イベントデータがシグナリングデータ更新情報であることを示すイベント識別子を記録したデータである請求項１に記載の受信装置。
【請求項５】
前記イベント通知データは、
イベントデータとして格納されたシグナリングデータ更新情報に従って処理を実行するための制御時間情報を記録したデータである請求項１に記載の受信装置。
【請求項６】
前記シグナリングデータ更新情報は、
更新後のシグナリングデータ本体、または更新後のシグナリングデータ識別子を記録したデータである請求項１に記載の受信装置。
【請求項７】
前記シグナリングデータ更新情報は、
更新後のシグナリングデータのバージョン情報を記録したデータである請求項１に記載の受信装置。
【請求項８】
前記受信装置は、さらに、
前記通信部の受信したイベント通知データから、シグナリングデータ更新情報を取得して前記シグナリングデータ処理部に出力するデータ処理部を有する請求項１に記載の受信装置。
【請求項９】
シグナリングデータを受信する通信部と、
前記シグナリングデータ更新情報をイベントデータとして格納したイベント通知データを生成するミドルウェアと、
前記イベント通知データからシグナリングデータ更新情報を取得して、シグナリングデータ処理部に出力するデータ処理部と、
前記シグナリングデータ更新情報に基づくシグナリングデータ更新処理を実行するシグナリングデータ処理部を有する受信装置。
【請求項１０】
前記ミドルウェアは、
ＡＶコンテンツの送信用データであるセグメントを利用したイベント通知方式であるセグメント適用イベント通知方式（＝Ｉｎ−ｂａｎｄ  Ｅｖｅｎｔ  Ｓｉｇｎａｌｉｎｇ）に従ったデータフォーマットを持つイベント通知データを生成する請求項９に記載の受信装置。
【請求項１１】
ＡＶコンテンツを格納したセグメントを送信するデータ出力部と、
シグナリングデータ更新情報をイベントデータとして格納したイベント通知データを生成するイベント処理部を有し、
前記データ出力部は、
前記イベント処理部が生成したシグナリングデータ更新情報をイベントデータとして格納したイベント通知データを、セグメントに挿入して送信する送信装置。
【請求項１２】
前記イベント通知データは、
ＡＶコンテンツの送信用データであるセグメントを利用したイベント通知方式であるセグメント適用イベント通知方式（＝Ｉｎ−ｂａｎｄ  Ｅｖｅｎｔ  Ｓｉｇｎａｌｉｎｇ）に従ったデータフォーマットを持つイベント通知データである請求項１１に記載の送信装置。
【請求項１３】
受信装置において実行するデータ処理方法であり、
通信部が、ＡＶコンテンツを格納したセグメント、および、シグナリングデータ更新情報をイベントデータとして格納したイベント通知データを受信し、
再生制御部が、前記セグメントを取得して、コンテンツ再生制御を実行し、
シグナリングデータ処理部が、イベント通知データにイベントデータとして格納されたシグナリングデータ更新情報に基づくシグナリングデータ更新処理を実行し、
前記再生制御部は、
取得セグメントが、シグナリングデータ更新情報をイベントデータとして格納したイベント通知データである場合、セグメントからイベントデータを抽出して前記シグナリングデータ処理部に出力し、
前記シグナリングデータ処理部は、前記再生制御部から入力したイベントデータであるシグナリングデータ更新情報に基づくシグナリングデータ更新処理を実行するデータ処理方法。
【請求項１４】
受信装置において実行するデータ処理方法であり、
通信部が、シグナリングデータを受信し、
ミドルウェアが、シグナリングデータ更新情報をイベントデータとして格納したイベント通知データを生成し、
データ処理部が、前記イベント通知データからシグナリングデータ更新情報を取得して、シグナリングデータ処理部に出力し、
シグナリングデータ処理部が、前記シグナリングデータ更新情報に基づくシグナリングデータ更新処理を実行するデータ処理方法。
【請求項１５】
送信装置において実行するデータ処理方法であり、
データ出力部が、ＡＶコンテンツを格納したセグメントを送信するデータ出力処理と、
イベント処理部が、シグナリングデータ更新情報をイベントデータとして格納したイベント通知データを生成するイベント処理を実行し、
前記データ出力部は、
前記イベント処理部が生成したシグナリングデータ更新情報をイベントデータとして格納したイベント通知データを、セグメントに挿入して送信するデータ処理方法。
【国際調査報告】
2016174960.tif 000024
2016174960.tif 000025
2016174960.tif 000026
2016174960.tif 000027